(57)【要約】  本技術は、モザイク画面を容易に得ることができるようにする送信装置、送信方法、受信装置、及び、受信方法に関する。属性と属性値とを用いて記述されるメタデータであり、ビデオが、モザイク画面を構成するのに適したサムネイルビデオであることを表すシグナリング情報と、サービスが提供するコンテンツを受信するための情報を含むファイルを参照するための情報を表す属性とを含むコンテンツのメタデータが配信される。本技術は、例えば、コンテンツを配信する場合に適用することができる。
2015064211.tif 000002
【特許請求の範囲】
【請求項１】
属性と属性値とを用いて記述されるメタデータであり、
ビデオが、モザイク画面を構成するのに適したサムネイルビデオであることを表すシグナリング情報と、
サービスが提供するコンテンツを受信するための情報を含むファイルを参照するための情報を表す前記属性と
を含むコンテンツのメタデータを配信する配信部を備える
送信装置。
【請求項２】
前記サービスが提供するコンテンツを受信するための情報は、マルチキャストのIPアドレス及びポート番号を含む
請求項１に記載の送信装置。
【請求項３】
前記ファイルは、SDP(Session Description Protocol)ファイルである
請求項２に記載の送信装置。
【請求項４】
前記メタデータは、１以上のサービスの集合の情報、個々のサービスの情報、サービスを識別する前記属性であるサービス識別子、及び、サービスが提供するコンテンツの配信方法の情報のうちの１以上をさらに含む
請求項３に記載の送信装置。
【請求項５】
前記メタデータは、MBMS(Multimedia Broadcast Multicast Service)のUSD(User Service Description)であり、
前記１以上のサービスの集合の情報であるbundleDescription要素と、
前記個々のサービスの情報であるbundleDescription/UserServiceDescription要素と、
前記サービス識別子であるbundleDescription/userServiceDescription/@serviceId属性と、
前記サービスが提供するコンテンツの配信方法の情報であるbundleDescription/userServiceDescription/DeliveryMethod要素と、
前記サービスが提供するコンテンツを受信するための情報を含むファイルを参照するための情報を表す前記属性であるbundleDescription/userServiceDescription/DeliveryMethod/@sessionDescriptionURI属性と、
前記シグナリング情報であるbundleDescription/userServiceDescription/@r7:serviceClass属性と
を含む
請求項４に記載の送信装置。
【請求項６】
前記USDは、前記サービスが提供するコンテンツが、マルチキャスト及びユニキャストのいずれの配信方法で配信されるかを表すr12:appServiceDescription要素をさらに含む
請求項５に記載の送信装置。
【請求項７】
前記r12:appServiceDescription要素は、broadcast要素、及び、unicast要素のうちの一方、又は、両方を含み、
前記broadcast要素、及び、unicast要素は、前記サービスが提供するコンテンツのURL(Uniform Resource Locator)を表すbaseURL属性を含み、
前記broadcast要素は、そのbroadcast要素が含む前記baseURL属性でURLが表されるコンテンツが、マルチキャストで配信されることを表し、
前記unicast要素は、そのunicast要素が含む前記baseURL属性でURLが表されるコンテンツが、ユニキャストで配信されることを表す
請求項６に記載の送信装置。
【請求項８】
前記broadcast要素は、そのbroadcast要素が含む前記baseURL属性でURLが表されるコンテンツが、前記サムネイルビデオであるかどうかを表すthumbnailVideo属性を、前記シグナリング情報として含む
請求項７に記載の送信装置。
【請求項９】
前記USDは、１つのモザイク画面を構成し得る複数のコンテンツそれぞれについての前記r12:appServiceDescription要素を含む
請求項８に記載の送信装置。
【請求項１０】
前記broadcast要素は、そのbroadcast要素が含む前記baseURL属性でURLが表されるコンテンツが配信されるマルチキャストのIPアドレス及びポート番号を含むSDP(Session Description Protocol)ファイルを参照するための情報を表すseccionDescription要素を含む
請求項９に記載の送信装置。
【請求項１１】
前記r12:appServiceDescription要素は、そのr12:appServiceDescription要素が配信方法を表すコンテンツの再生制御を行うためのメタデータであるMPEG-DASH（Moving Picture Experts Group-Dynamic Adaptive Streaming over HTTP)のMPD(Media Presentation Description)のURI(Uniform Resource Identifier)を表すmpdURI属性を含む
請求項９に記載の送信装置。
【請求項１２】
属性と属性値とを用いて記述されるメタデータであり、
ビデオが、モザイク画面を構成するのに適したサムネイルビデオであることを表すシグナリング情報と、
サービスが提供するコンテンツを受信するための情報を含むファイルを参照するための情報を表す前記属性と
を含むコンテンツのメタデータを配信する
ステップを含む送信方法。
【請求項１３】
属性と属性値とを用いて記述されるメタデータであり、
ビデオが、モザイク画面を構成するのに適したサムネイルビデオであることを表すシグナリング情報と、
サービスが提供するコンテンツを受信するための情報を含むファイルを参照するための情報を表す前記属性と
を含むコンテンツのメタデータを受信する受信部を備える
受信装置。
【請求項１４】
前記サービスが提供するコンテンツを受信するための情報は、マルチキャストのIPアドレス及びポート番号を含む
請求項１３に記載の受信装置。
【請求項１５】
前記ファイルは、SDP(Session Description Protocol)ファイルである
請求項１４に記載の受信装置。
【請求項１６】
前記メタデータは、１以上のサービスの集合の情報、個々のサービスの情報、サービスを識別する前記属性であるサービス識別子、及び、サービスが提供するコンテンツの配信方法の情報のうちの１以上をさらに含む
請求項１５に記載の受信装置。
【請求項１７】
前記メタデータは、MBMS(Multimedia Broadcast Multicast Service)のUSD(User Service Description)であり、
前記１以上のサービスの集合の情報であるbundleDescription要素と、
前記個々のサービスの情報であるbundleDescription/UserServiceDescription要素と、
前記サービス識別子であるbundleDescription/userServiceDescription/@serviceId属性と、
前記サービスが提供するコンテンツの配信方法の情報であるbundleDescription/userServiceDescription/DeliveryMethod要素と、
前記サービスが提供するコンテンツを受信するための情報を含むファイルを参照するための情報を表す前記属性であるbundleDescription/userServiceDescription/DeliveryMethod/@sessionDescriptionURI属性と、
前記シグナリング情報であるbundleDescription/userServiceDescription/@r7:serviceClass属性と
を含む
請求項１６に記載の受信装置。
【請求項１８】
前記USDは、前記サービスが提供するコンテンツが、マルチキャスト及びユニキャストのいずれの配信方法で配信されるかを表すr12:appServiceDescription要素をさらに含む
請求項１７に記載の受信装置。
【請求項１９】
前記r12:appServiceDescription要素は、broadcast要素、及び、unicast要素のうちの一方、又は、両方を含み、
前記broadcast要素、及び、unicast要素は、前記サービスが提供するコンテンツのURL(Uniform Resource Locator)を表すbaseURL属性を含み、
前記broadcast要素は、そのbroadcast要素が含む前記baseURL属性でURLが表されるコンテンツが、マルチキャストで配信されることを表し、
前記unicast要素は、そのunicast要素が含む前記baseURL属性でURLが表されるコンテンツが、ユニキャストで配信されることを表す
請求項１８に記載の受信装置。
【請求項２０】
前記broadcast要素は、そのbroadcast要素が含む前記baseURL属性でURLが表されるコンテンツが、前記サムネイルビデオであるかどうかを表すthumbnailVideo属性を、前記シグナリング情報として含む
請求項１９に記載の受信装置。
【請求項２１】
前記USDは、１つのモザイク画面を構成し得る複数のコンテンツそれぞれについての前記r12:appServiceDescription要素を含む
請求項２０に記載の受信装置。
【請求項２２】
前記broadcast要素は、そのbroadcast要素が含む前記baseURL属性でURLが表されるコンテンツが配信されるマルチキャストのIPアドレス及びポート番号を含むSDP(Session Description Protocol)ファイルを参照するための情報を表すseccionDescription要素を含む
請求項２１に記載の受信装置。
【請求項２３】
前記r12:appServiceDescription要素は、そのr12:appServiceDescription要素が配信方法を表すコンテンツの再生制御を行うためのメタデータであるMPEG-DASH（Moving Picture Experts Group-Dynamic Adaptive Streaming over HTTP)のMPD(Media Presentation Description)のURI(Uniform Resource Identifier)を表すmpdURI属性を含む
請求項２１に記載の受信装置。
【請求項２４】
属性と属性値とを用いて記述されるメタデータであり、
ビデオが、モザイク画面を構成するのに適したサムネイルビデオであることを表すシグナリング情報と、
サービスが提供するコンテンツを受信するための情報を含むファイルを参照するための情報を表す前記属性と
を含むコンテンツのメタデータを受信する
ステップを含む受信方法。
【請求項２５】
属性と属性値とを用いて記述されるメタデータであり、
ビデオが、モザイク画面を構成するのに適したサムネイルビデオであることを表すシグナリング情報と、
USD(User Service Description)を参照するための情報と
を含むコンテンツのメタデータを配信する配信部を備える
送信装置。
【請求項２６】
前記メタデータは、
サービスに関するサービス情報と、
前記サービス情報を参照する、サービスにアクセスするためのアクセス情報と
をさらに含む
請求項２５に記載の送信装置。
【請求項２７】
前記サービス情報は、そのサービス情報を識別する前記属性であるサービス識別子を含む
請求項２６に記載の送信装置。
【請求項２８】
前記アクセス情報は、前記USDを参照するための情報を含むとともに、
前記アクセス情報を識別する前記属性であるアクセス情報識別子と、
前記アクセス情報の記述内容のバージョンを表す前記属性であるバージョン情報と、
サービスが、放送型サービス、及び、双方向型サービスのうちのいずれであるかを表す情報と、
サービスが、放送型サービスであることを表す情報と、
セッションディスクリプションを表す情報と、
サービスが、双方向型サービスであることを表す情報と、
サービスのクラスを表す情報と
のうちの１以上を含む
請求項２７に記載の送信装置。
【請求項２９】
前記メタデータは、OMA-ESG(Open Mobile Alliance-Electronic Service Guide)であり、
前記サービス情報であるService要素と、
前記サービス識別子であるService/@globalServiceID属性と、
前記アクセス情報であるAccess要素と、
前記アクセス情報識別子であるAccess/@id属性と、
前記バージョン情報であるAccess/@version属性と、
前記サービスが、放送型サービス、及び、双方向型サービスのうちのいずれであるかを表す情報であるAccess/AccessType要素と、
前記サービスが、放送型サービスであることを表す情報であるAccess/AccessType/BroadcastServiceDelivery要素と、
前記セッションディスクリプションを表す情報であるAccess/AccessType/BroadcastServiceDelivery/SessionDescription要素と、
前記サービスが、双方向型サービスであることを表す情報であるAccess/AccessType/UnicastServiceDelivery要素と、
前記サービスのクラスを表す情報であるAccess/ServiceClass要素と、
前記USDを参照するための情報であるAccess/AccessType/BroadcastServiceDelivery/SessionDescription/USBDRef要素と
を含む
請求項２８に記載の送信装置。
【請求項３０】
前記OMA-ESGは、前記サービスが提供するコンテンツが前記サムネイルビデオであることを表す情報が記述されたService/ServiceType要素を、前記シグナリング情報として含む
請求項２９に記載の送信装置。
【請求項３１】
属性と属性値とを用いて記述されるメタデータであり、
ビデオが、モザイク画面を構成するのに適したサムネイルビデオであることを表すシグナリング情報と、
USD(User Service Description)を参照するための情報と
を含むコンテンツのメタデータを配信する
ステップを含む送信方法。
【請求項３２】
属性と属性値とを用いて記述されるメタデータであり、
ビデオが、モザイク画面を構成するのに適したサムネイルビデオであることを表すシグナリング情報と、
USD(User Service Description)を参照するための情報と
を含むコンテンツのメタデータを受信する受信部を備える
受信装置。
【請求項３３】
前記メタデータは、
サービスに関するサービス情報と、
前記サービス情報を参照する、サービスにアクセスするためのアクセス情報と
をさらに含む
請求項３２に記載の受信装置。
【請求項３４】
前記サービス情報は、そのサービス情報を識別する前記属性であるサービス識別子を含む
請求項３３に記載の受信装置。
【請求項３５】
前記アクセス情報は、前記USDを参照するための情報を含むとともに、
前記アクセス情報を識別する前記属性であるアクセス情報識別子と、
前記アクセス情報の記述内容のバージョンを表す前記属性であるバージョン情報と、
サービスが、放送型サービス、及び、双方向型サービスのうちのいずれであるかを表す情報と、
サービスが、放送型サービスであることを表す情報と、
セッションディスクリプションを表す情報と、
サービスが、双方向型サービスであることを表す情報と、
サービスのクラスを表す情報と
のうちの１以上を含む
請求項３４に記載の受信装置。
【請求項３６】
前記メタデータは、OMA-ESG(Open Mobile Alliance-Electronic Service Guide)であり、
前記サービス情報であるService要素と、
前記サービス識別子であるService/@globalServiceID属性と、
前記アクセス情報であるAccess要素と、
前記アクセス情報識別子であるAccess/@id属性と、
前記バージョン情報であるAccess/@version属性と、
前記サービスが、放送型サービス、及び、双方向型サービスのうちのいずれであるかを表す情報であるAccess/AccessType要素と、
前記サービスが、放送型サービスであることを表す情報であるAccess/AccessType/BroadcastServiceDelivery要素と、
前記セッションディスクリプションを表す情報であるAccess/AccessType/BroadcastServiceDelivery/SessionDescription要素と、
前記サービスが、双方向型サービスであることを表す情報であるAccess/AccessType/UnicastServiceDelivery要素と、
前記サービスのクラスを表す情報であるAccess/ServiceClass要素と、
前記USDを参照するための情報であるAccess/AccessType/BroadcastServiceDelivery/SessionDescription/USBDRef要素と
を含む
請求項３５に記載の受信装置。
【請求項３７】
前記OMA-ESGは、前記サービスが提供するコンテンツが前記サムネイルビデオであることを表す情報が記述されたService/ServiceType要素を、前記シグナリング情報として含む
請求項３６に記載の受信装置。
【請求項３８】
属性と属性値とを用いて記述されるメタデータであり、
ビデオが、モザイク画面を構成するのに適したサムネイルビデオであることを表すシグナリング情報と、
USD(User Service Description)を参照するための情報と
を含むコンテンツのメタデータを受信する
ステップを含む受信方法。
【発明の詳細な説明】
【技術分野】
【０００１】
本技術は、送信装置、送信方法、受信装置、及び、受信方法に関し、特に、例えば、モザイク画面を容易に得ることができるようにする送信装置、送信方法、受信装置、及び、受信方法に関する。
【背景技術】
【０００２】
近年、インターネット上のストリーミングサービスの主流が、OTT-V(Over The Top Video)となっている。例えば、MPEG-DASH(Moving Picture Experts Group-Dynamic Adaptive Streaming over HTTP(Hypertext Transfer Protocol))（以下、DASHともいう）が、OTT-Vの基盤技術として普及し始めている。【０００３】
DASHでは、例えば、ストリームを配信するサーバから、同一ソースからの特性の異なるストリームを最適に選択するための属性情報を含むメタデータとしてのMPD(Media Presentation Description)を、ストリームを受信するクライアントに通知し、クライアントにおいて、そのMPDを用いることで、ネットワーク環境適応型のストリーミングが実現される（例えば、非特許文献１を参照）。【０００４】
すなわち、DASHでは、サーバが、同一内容のコンテンツとして、配信パスの通信環境やクライアントの能力や状態に応じて画質や画サイズ等が異なる複数のストリームを用意する。【０００５】
一方、クライアントは、サーバが用意している複数のストリームのうちの、クライアントが受信可能であり、かつ、クライアントの能力（デコード能力等）に適したストリームを適応的に選択し、そのストリームを受信して再生する。【０００６】
DASHでは、クライアントが、ストリームを適応的に選択して受信することができるように、MPDと呼ばれる、コンテンツの再生制御に用いられるメタデータが、サーバからクライアントに配信される。【０００７】
MPDには、コンテンツを分割したセグメント(Audio/Video/Subtitle等のメディアデータ)のアドレスとしてのURL(Uniform Resource Locator)等が記述される。クライアントは、MPDに記述されたURL等に基づいて、コンテンツの配信元となるwebサーバにHTTPリクエストを送信し、このHTTPリクエストに応じてwebサーバがユニキャスト配信するセグメントを受信して再生する。
【先行技術文献】
【非特許文献】
【０００８】
【非特許文献１】「既存のWebサーバーで途切れない動画配信を実現」、平林光浩、NIKKEI ELECTRONICS 2012.3.19
【発明の概要】
【発明が解決しようとする課題】
【０００９】
ところで、クライアントにおいて、例えば、ライブ放送系のコンテンツを視聴する場合等には、複数のコンテンツのビデオを格子状等に配置したモザイク画面を表示し、ユーザが、そのモザイク画面に表示された複数のコンテンツのビデオを見て、視聴するチャンネル（コンテンツ）を選択することができれば、便利である。【００１０】
しかしながら、現行のDASHでは、クライアントにおいて、モザイク画面を生成するのに有用な情報が配信されていないため、モザイク画面を容易に得ることが困難である。【００１１】
本技術は、このような状況に鑑みてなされたものであり、モザイク画面を容易に得ることができるようにするものである。
【課題を解決するための手段】
【００１２】
本技術の第１の送信装置は、属性と属性値とを用いて記述されるメタデータであり、ビデオが、モザイク画面を構成するのに適したサムネイルビデオであることを表すシグナリング情報と、サービスが提供するコンテンツを受信するための情報を含むファイルを参照するための情報を表す前記属性とを含むコンテンツのメタデータを配信する配信部を備える送信装置である。【００１３】
本技術の第１の送信方法は、属性と属性値とを用いて記述されるメタデータであり、ビデオが、モザイク画面を構成するのに適したサムネイルビデオであることを表すシグナリング情報と、サービスが提供するコンテンツを受信するための情報を含むファイルを参照するための情報を表す前記属性とを含むコンテンツのメタデータを配信するステップを含む送信方法である。【００１４】
以上のような本技術の第１の送信装置、及び、送信方法においては、属性と属性値とを用いて記述されるメタデータであり、ビデオが、モザイク画面を構成するのに適したサムネイルビデオであることを表すシグナリング情報と、サービスが提供するコンテンツを受信するための情報を含むファイルを参照するための情報を表す前記属性とを含むコンテンツのメタデータが配信される。【００１５】
本技術の第１の受信装置は、属性と属性値とを用いて記述されるメタデータであり、ビデオが、モザイク画面を構成するのに適したサムネイルビデオであることを表すシグナリング情報と、サービスが提供するコンテンツを受信するための情報を含むファイルを参照するための情報を表す前記属性とを含むコンテンツのメタデータを受信する受信部を備える受信装置である。【００１６】
本技術の第１の受信方法は、属性と属性値とを用いて記述されるメタデータであり、ビデオが、モザイク画面を構成するのに適したサムネイルビデオであることを表すシグナリング情報と、サービスが提供するコンテンツを受信するための情報を含むファイルを参照するための情報を表す前記属性とを含むコンテンツのメタデータを受信するステップを含む受信方法である。【００１７】
以上のような本技術の第１の受信装置、及び、受信方法においては、属性と属性値とを用いて記述されるメタデータであり、ビデオが、モザイク画面を構成するのに適したサムネイルビデオであることを表すシグナリング情報と、サービスが提供するコンテンツを受信するための情報を含むファイルを参照するための情報を表す前記属性とを含むコンテンツのメタデータが受信される。【００１８】
本技術の第２の送信装置は、属性と属性値とを用いて記述されるメタデータであり、ビデオが、モザイク画面を構成するのに適したサムネイルビデオであることを表すシグナリング情報と、USD(User Service Description)を参照するための情報とを含むコンテンツのメタデータを配信する配信部を備える送信装置である。【００１９】
本技術の第２の送信方法は、属性と属性値とを用いて記述されるメタデータであり、ビデオが、モザイク画面を構成するのに適したサムネイルビデオであることを表すシグナリング情報と、USD(User Service Description)を参照するための情報とを含むコンテンツのメタデータを配信するステップを含む送信方法である。【００２０】
以上のような本技術の第２の送信装置、及び、送信方法においては、属性と属性値とを用いて記述されるメタデータであり、ビデオが、モザイク画面を構成するのに適したサムネイルビデオであることを表すシグナリング情報と、USD(User Service Description)を参照するための情報とを含むコンテンツのメタデータが配信される。【００２１】
本技術の第２の受信装置は、属性と属性値とを用いて記述されるメタデータであり、ビデオが、モザイク画面を構成するのに適したサムネイルビデオであることを表すシグナリング情報と、USD(User Service Description)を参照するための情報とを含むコンテンツのメタデータを受信する受信部を備える受信装置である。【００２２】
本技術の第２の受信方法は、属性と属性値とを用いて記述されるメタデータであり、ビデオが、モザイク画面を構成するのに適したサムネイルビデオであることを表すシグナリング情報と、USD(User Service Description)を参照するための情報とを含むコンテンツのメタデータを受信するステップを含む受信方法である。【００２３】
以上のような本技術の第２の受信装置、及び、受信方法においては、属性と属性値とを用いて記述されるメタデータであり、ビデオが、モザイク画面を構成するのに適したサムネイルビデオであることを表すシグナリング情報と、USD(User Service Description)を参照するための情報とを含むコンテンツのメタデータが受信される。【００２４】
なお、送信装置、及び、受信装置は、独立した装置であっても良いし、１つの装置を構成している内部ブロックであっても良い。
【発明の効果】
【００２５】
本技術によれば、モザイク画面を容易に得ることができる。【００２６】
なお、ここに記載された効果は必ずしも限定されるものではなく、本開示中に記載されたいずれかの効果であってもよい。
【図面の簡単な説明】
【００２７】
【図１】本技術を適用したコンテンツ提供システムの一実施の形態の構成例を示すブロック図である。
【図２】チャンネルサーバ１１の構成例を示すブロック図である。
【図３】集約サーバ１２の構成例を示すブロック図である。
【図４】クライアント１３の構成例を示すブロック図である。
【図５】コンテンツ提供システムによるサムネイルビデオの提供の処理を説明する図である。
【図６】コンテンツ提供システムにおいて、ネットワーク１０を介して配信されるデータの例を示す図である。
【図７】MPD，SDP，USD、及び、OMA-ESGを説明する図である。
【図８】MBMSのプロトコルスタックを示す図である。
【図９】サムネイルメタデータとしてのUSDのデータモデルの例を示す図である。
【図１０】XMLで記述されるサムネイルメタデータとしてのUSDを構成するXMLの要素、及び、属性の例を示す図である。
【図１１】XMLで記述されるサムネイルメタデータとしてのUSDの例を示す図である。
【図１２】サムネイルメタデータとしてのMPDの概要を示す図である。
【図１３】XMLで記述されるサムネイルメタデータとしてのMPDを構成するXMLの要素、及び、属性の例を示す図である。
【図１４】XMLで記述されるサムネイルメタデータとしてのMPDの例を示す図である。
【図１５】サムネイルメタデータとしてのOMA-ESGのデータモデルの例を示す図である。
【図１６】XMLで記述されるサムネイルメタデータとしてのOMA-ESGを構成するXMLの要素、及び、属性の例を示す図である。
【図１７】XMLで記述されるサムネイルメタデータとしてのOMA-ESGの例を示す図である。
【図１８】サムネイルメタデータとしてのOMA-ESGを説明する図である。
【図１９】サムネイルビデオを含むコンテンツの配信方法の第１の例を示す図である。
【図２０】サムネイルビデオを含むコンテンツの配信方法の第２の例を示す図である。
【図２１】サムネイルビデオを含むコンテンツの配信方法の第３の例を示す図である。
【図２２】クライアント１３でのモザイク画面の表示例を示す図である。
【図２３】コンテンツディスクリプションメタデータを導入したサムネイルメタデータとしてのMPDの第１の例を示す図である。
【図２４】１つのFLUTEセッションでマルチキャスト配信される複数のサムネイルビデオ（のストリーム）の例を模式的に示す図である。
【図２５】コンテンツディスクリプションメタデータを導入したサムネイルメタデータとしてのMPDの第２の例を示す図である。
【図２６】コンテンツディスクリプションメタデータを導入したサムネイルメタデータとしてのMPDの第３の例を示す図である。
【図２７】サムネイルビデオを含むコンテンツの配信方法の第４の例を示す図である。
【図２８】サムネイルビデオを含むコンテンツの配信方法の第５の例を示す図である。
【図２９】サムネイルビデオを含むコンテンツの配信方法の第６の例を示す図である。
【図３０】クライアント１３でのモザイク画面の表示の処理の例を説明するフローチャートである。
【図３１】本技術を適用したコンピュータの一実施の形態の構成例を示すブロック図である。
【発明を実施するための形態】
【００２８】
＜本技術を適用したコンテンツ提供システムの一実施の形態＞
【００２９】
図１は、本技術を適用したコンテンツ提供システムの一実施の形態の構成例を示すブロック図である。
【００３０】
図１において、コンテンツ提供システムは、複数のチャンネルサーバ１１、１以上の集約サーバ１２、１以上のクライアント１３、及び、NTP(Network Time Protocol)サーバ１４が、ネットワーク１０に接続されて構成される。
【００３１】
図１のコンテンツ提供システムでは、DASHを利用して、チャンネルサーバ１１や集約サーバ１２から、ネットワーク１０を介して、クライアント１３に対して、コンテンツが提供される。
【００３２】
ここで、現行のDASHでは、ストリーミングそのものがOTT/CDN(Over The Top/Contents Delivery Network)上のユニキャストにより行われることが前提となっているが、図１のコンテンツ提供システムでは、モザイク画面を構成するビデオが、例えば、携帯網上の品質の保証された一斉同報可能なマルチキャストネットワーク(eMBMS等)上で配信される。これにより、多数のユーザに対して、パフォーマンスの優れた、モザイク画面によるチャンネルの選択の操作感が提供される。
【００３３】
すなわち、図１のコンテンツ提供システムでは、モザイク画面を構成する複数のビデオをグルーピング（アグリゲート）して、１つのFLUTEマルチキャストセッション等で配信することにより、クライアント１３において、モザイク画面を、容易かつ効率的に生成する（得る）ことを可能にする。
【００３４】
ネットワーク１０は、ユニキャストやマルチキャストが可能な、インターネット等の双方向ネットワークと、ブロードキャストやマルチキャストが可能な放送系ネットワークとを包含する。ネットワーク１０としては、例えば、3GPP(3rd Generation Partnership Project)のMBMS(Multimedia Broadcast Multicast Service)（eMBMS(Evolved MBMS)を含む）等を採用することができる。
【００３５】
チャンネルサーバ１１は、例えば、放送局に対応し、その放送局のチャンネル（サービス）の番組として、同一内容のコンテンツのストリームであって、ビットレートや画サイズ等が異なる複数のストリームを、ネットワーク１０を介して配信する。
【００３６】
ここで、チャンネルサーバ１１が配信する複数のストリームには、視聴の用に供されるメインビデオや、オーディオ、字幕等のストリームと、モザイク画面を構成するのに適したサムネイルビデオのストリームとが含まれる。
【００３７】
ここで、モザイク画面を構成するのに適したサムネイルビデオとは、メインビデオと同一内容のビデオではあるが、例えば、画サイズがメインビデオよりも小さい所定のサイズ以下のビデオで、複数個を、あるサイズの表示画面に、格子状等にタイリングすることにより、モザイク画面が構成されるビデオを意味する。
【００３８】
集約サーバ１２は、例えば、モザイク画面を、番組として放送する放送局に対応し、その放送局のチャンネル（サービス）の番組として、複数のチャンネルサーバ１１が配信する複数のサムネイルビデオ（のストリーム）をグルーピング（集約）し、ネットワーク１０を介して配信する。
【００３９】
クライアント１３は、チャンネルサーバ１１が配信するメインビデオ等や、集約サーバ１２が配信するサムネイルビデオを受信して再生する。
【００４０】
NTPサーバ１４は、UTC(Coordinated Universal Time)タイムフォーマットに従った時刻情報であるNTP時刻を、ネットワーク１０を介して提供する。
【００４１】
チャンネルサーバ１１、集約サーバ１２、及び、クライアント１３は、NTPサーバ１４から提供されるNTP時刻に同期して動作することができる。
【００４２】
なお、チャンネルサーバ１１が配信する番組は（ひいては、集約サーバ１２が配信する番組も）、リアルタイムの番組（生放送の番組）であってもよいし、録画番組であってもよい。
【００４３】
＜チャンネルサーバ１１の構成例＞
【００４４】
図２は、図１のチャンネルサーバ１１の構成例を示すブロック図である。
【００４５】
図２において、チャンネルサーバ１１は、コンテンツマネジメントサーバ２１、セグメントストリーマ２２、及び、MPDサーバ２３を有する。
【００４６】
ここで、コンテンツマネジメントサーバ２１、セグメントストリーマ２２、及び、MPDサーバ２３は、ネットワーク１０上の一カ所に配置することもできるし、ネットワーク１０上に分散して配置することもできる。コンテンツマネジメントサーバ２１、セグメントストリーマ２２、及び、MPDサーバ２３を、ネットワーク１０上に分散して配置する場合、相互間での通信は、ネットワーク１０の他、専用線その他の任意の通信回線を介して行うことができる。
【００４７】
コンテンツマネジメントサーバ２１は、チャンネルサーバ１１のチャンネルの番組として配信するためのコンテンツのソースデータとしてのビデオや、オーディオ、字幕等を管理しており、コンテンツのソースデータとしてのビデオ等からビットレートが異なる複数のストリーミングデータを生成して、セグメントストリーマ２２に供給する。
【００４８】
ここで、ビデオについての複数のストリーミングデータの中には、メインビデオとサムネイルビデオとが含まれる。
【００４９】
セグメントストリーマ２２は、コンテンツマネジメントサーバ２１からの各ストリーミングデータを、時間方向に分割したセグメントのセグメントストリームを生成する。
【００５０】
すなわち、セグメントストリーマ２２は、ストリーミングデータを、例えば、fragmentedMP4のフラグメント(moofとmdat)に分割し、そのフラグメントの１以上を集めてセグメントのファイルを生成する。
【００５１】
また、セグメントストリーマ２２は、セグメントのURL（セグメントを提供するサーバ（例えば、チャンネルサーバ１１）のURL）等の、MPDの生成に必要なセグメントのメタデータを、MPDサーバ２３に供給する。
【００５２】
さらに、セグメントストリーマ２２は、webサーバとして、クライアント１３からのセグメントの要求としてのHTTPリクエストに応じて、そのHTTPリクエストによって要求されるセグメント（のファイル）を、クライアント１３に、ネットワーク１０を介して、HTTPユニキャスト配信する。
【００５３】
また、セグメントストリーマ２２は、サムネイルビデオのセグメントを、ネットワーク１０を介して、集約サーバ１２に（ユニキャスト又はマルチキャストで）配信する。
【００５４】
MPDサーバ２３は、セグメントストリーマ２２から供給されるセグメントのメタデータを用いて、クライアント１３がセグメントを受信して再生制御を行うために必要な、セグメントのURL等が記述されたMPDを生成する。
【００５５】
MPDサーバ２３は、webサーバとして、クライアント１３からのMPDの要求としてのHTTPリクエストに応じて、MPDを、クライアント１３に、ネットワーク１０を介して、HTTPユニキャスト配信する。
【００５６】
また、MPDサーバ２３は、サムネイルビデオのMPDを、ネットワーク１０を介して、集約サーバ１２に（ユニキャスト又はマルチキャストで）配信する。
【００５７】
ここで、クライアント１３は、MPDサーバ２３に対してMPDを要求することにより、その要求に応じて、MPDサーバ２３がHTTPユニキャスト配信するMPDを受信することができる。
【００５８】
また、クライアント１３は、MPDサーバ２３からのMPDに基づいて、セグメントストリーマ２２にセグメントを要求することにより、その要求に応じて、セグメントストリーマ２２がHTTPユニキャスト配信するセグメントを受信し、さらに、そのセグメントを、MPDに基づいて再生することができる。
【００５９】
＜集約サーバ１２の構成例＞
【００６０】
図３は、図１の集約サーバ１２の構成例を示すブロック図である。
【００６１】
図３において、集約サーバ１２は、ストリームアグリゲータ３１、メタデータジェネレータ３２、FLUTE(File Delivery over Unidirectional Transport)ストリーマ３３、マルチキャストサーバ３４、及び、webサーバ３５を有する。
【００６２】
ここで、ストリームアグリゲータ３１ないしwebサーバ３５は、図２のチャンネルサーバ１１の場合と同様に、ネットワーク１０上の一カ所に配置することもできるし、ネットワーク１０上に分散して配置することもできる。ストリームアグリゲータ３１ないしwebサーバ３５を、ネットワーク１０上に分散して配置する場合、相互間での通信は、ネットワーク１０の他、専用線その他の任意の通信回線を介して行うことができる。
【００６３】
ストリームアグリゲータ３１は、複数のチャンネルサーバ１１から配信される複数のサムネイルビデオ（のセグメント）の中から、モザイク画面のあるチャンネル（以下、モザイクチャンネルともいう）を構成させる２以上のサムネイルビデオを、モザイクチャンネル用サムネイルビデオとして選択（アグリゲート）し、FLUTEストリーマ３３に供給する。
【００６４】
ここで、ストリームアグリゲータ３１は、複数のチャンネルサーバ１１から配信される複数のサムネイルビデオの中から、１つのモザイク画面を構成するのに適した２以上のサムネイルビデオを、モザイクチャンネル用サムネイルビデオとして選択する。
【００６５】
１つのモザイク画面を構成するのに適した２以上のサムネイルビデオとは、例えば、少なくとも、画サイズが同一の２以上のサムネイルビデオである。
【００６６】
その他、ストリームアグリゲータ３１では、例えば、あるサイズの表示画面に、格子状等にタイリングするのに適した画サイズであることや、野球中継等の同一のジャンルのビデオであることを条件として、それらの条件の１以上を満たす２以上のサムネイルビデオを、モザイクチャンネル用サムネイルビデオとして選択することができる。
【００６７】
メタデータジェネレータ３２は、複数のチャンネルサーバ１１から配信される複数のサムネイルビデオのMPDのうちの、ストリームアグリゲータ３１で選択された２以上のサムネイルビデオそれぞれについてのMPDを選択し、そのMPDを用いて、モザイクチャンネル用のメタデータであるサムネイルメタデータを生成する。
【００６８】
そして、メタデータジェネレータ３２は、サムネイルメタデータを、FLUTEストリーマ３３、及び、webサーバ３５に供給する。
【００６９】
ここで、サムネイルメタデータとしては、例えば、MBMSのUSD(User Service Description)、DASHのMPD、及び、IETF(Internet Engineering Task Force)のSDP(Session Description Protocol)（ファイル）の組み合わせ、又は、OMA-ESG(Open Mobile Alliance-Electronic Service Guide)，USD，MPD、及び、SDPの組み合わせを利用することができる。
【００７０】
OMA-ESG，USD，MPD、及び、SDPは、いずれも、属性（名）と、その属性に設定される属性値とを用いて記述される。属性と属性値は、その他、例えば、キー(key)とバリュー(value)と呼ばれることがある。
【００７１】
FLUTEストリーマ３３は、ストリームアグリゲータ３１から供給されるサムネイルビデオ（のセグメント）を、FLUTEパケット、すなわち、LCT(Layerd Coding Transport)パケット（ALC(Asynchronous Layered Coding)パケット）に格納し、マルチキャストサーバ３４に供給する。
【００７２】
また、FLUTEストリーマ３３は、メタデータジェネレータ３２から供給されるサムネイルメタデータを、LCTパケットに格納し、マルチキャストサーバ３４に供給する。
【００７３】
マルチキャストサーバ３４は、FLUTEストリーマ３３からのLCTパケットを、ネットワーク１０を介してFLUTEマルチキャスト配信する。
【００７４】
ここで、FLUTEストリーマ３３からのLCTパケットには、上述したように、サムネイルビデオ（のセグメント）や、サムネイルメタデータが格納されているので、マルチキャストサーバ３４では、サムネイルビデオや、サムネイルメタデータが、マルチキャスト配信されることになる。
【００７５】
webサーバ３５は、クライアント１３からの要求（HTTPリクエスト）に応じて、メタデータジェネレータ３２からのサムネイルメタデータを、ネットワーク１０を介して、クライアント１３に、HTTPユニキャスト配信する。
【００７６】
ここで、以上のように、マルチキャストサーバ３４、及び、webサーバ３５は、サムネイルメタデータを配信する配信部として機能する。
【００７７】
なお、図３の集約サーバ１２では、上述したように、サムネイルビデオが、マルチキャスト配信されるが、集約サーバ１２では、その他、チャンネルサーバ１１から、サムネイルビデオのコンテンツについてのメインビデオ、オーディオ、字幕等（のセグメント）を取得し、サムネイルビデオと同様に、マルチキャスト配信することができる。
【００７８】
また、メインビデオ等については、チャンネルサーバ１１において、集約サーバ１２がサムネイルビデオをマルチキャスト配信するのと同様にして、マルチキャスト配信することができる。
【００７９】
さらに、集約サーバ１２では、サムネイルビデオを、マルチキャストサーバ３４において、マルチキャスト配信する他、webサーバ３５において、ユニキャスト配信することができる。
【００８０】
＜クライアント１３の構成例＞
【００８１】
図４は、図１のクライアント１３の構成例を示すブロック図である。
【００８２】
図４において、クライアント１３は、受信部４０、及び、再生部４３を有する。
【００８３】
受信部４０は、例えば、ユーザによるクライアント１３の操作等に応じて、チャンネルサーバ１１から配信されるMPDや、集約サーバ１２から配信されるサムネイルメタデータを受信する受信部として機能する。
【００８４】
また、受信部４０は、例えば、ユーザによるクライアント１３の操作等に応じて、チャンネルサーバ１１から受信したMPDや、集約サーバ１２から受信したサムネイルメタデータに基づき、チャンネルサーバ１１から配信される（メインビデオ等の）セグメントや、集約サーバ１２からマルチキャスト配信される（サムネイルビデオ等の）セグメントを受信する。
【００８５】
さらに、受信部４０は、チャンネルサーバ１１や集約サーバ１２から受信したセグメントを、再生部４３に供給し、チャンネルサーバ１１から受信したMPDや、集約サーバ１２から受信したサムネイルメタデータに基づき、再生部４３でのセグメントの再生を制御する。
【００８６】
再生部４３は、受信部４０の制御に従い、受信部４０から供給されるセグメント、すなわち、サムネイルビデオで構成されるモザイク画面や、メインビデオ、オーディオ、字幕等を再生する。
【００８７】
ここで、受信部４０は、ミドルウェア４１とDASHクライアント４２を有する。
【００８８】
DASHクライアント４２は、必要に応じて、MPDや、サムネイルビデオ、メインビデオ等のセグメントを要求するHTTPリクエストを、ミドルウェア４１に出力する。
【００８９】
ミドルウェア４１は、マルチキャスト配信されてくるMPDや、サムネイルメタデータ、セグメントを必要に応じて受信しており、DASHクライアント４２がHTTPリクエストを出力すると、そのHTTPリクエストにより要求されているMPDやセグメントが、マルチキャスト配信されているかどうかを、サムネイルメタデータ等に基づいて判定する。
【００９０】
そして、DASHクライアント４２が出力するHTTPリクエストにより要求されているMPDやセグメントが、マルチキャスト配信されている場合には、ミドルウェア４１は、そのマルチキャスト配信されるMPDやセグメントを受信し、DASHクライアント４２に供給する。
【００９１】
なお、ミドルウェア４１は、DASHクライアント４２が出力するHTTPリクエストにより要求されているMPDやセグメントが、既に受信済みである場合には、その受信済みのMPDやセグメントを、DASHクライアント４２に供給する。
【００９２】
一方、DASHクライアント４２が出力するHTTPリクエストにより要求されているMPDやセグメントが、マルチキャスト配信されていない場合、ミドルウェア４１は、DASHクライアント４２が出力するHTTPリクエストを、そのまま、ネットワーク１０に送信する。そして、ミドルウェア４１は、そのHTTPリクエストに応じて、ユニキャスト配信されてくるMPDやセグメントを受信し、DASHクライアント４２に供給する。
【００９３】
したがって、DASHクライアント４２は、一般的なDASHクライアントと同様に、必要なMPDやセグメントを要求するHTTPリクエストを出力し、そのHTTPリクエストに応じて、ミドルウェア４１から供給されるMPDやセグメントを受信して処理する。
【００９４】
＜コンテンツ提供システムの処理＞
【００９５】
図５は、図１のコンテンツ提供システムによるサムネイルビデオの提供の処理の例を説明する図である。
【００９６】
チャンネルサーバ１１は、ステップＳ１１において、サムネイルビデオを、集約サーバ１２（図３）のストリームアグリゲータ３１に配信する。
【００９７】
さらに、チャンネルサーバ１１は、ステップＳ１２において、サムネイルビデオのMPDを、集約サーバ１２のメタデータジェネレータ３２に配信する。
【００９８】
また、ステップＳ１３において、チャンネルサーバ１１は、クライアント１３から、サムネイルビデオを要求するHTTPリクエストが送信されてくると、そのHTTPリクエストを受信する。
【００９９】
そして、ステップＳ１４において、チャンネルサーバ１１は、クライアント１３からのHTTPリクエストによって要求されているサムネイルビデオ（のセグメント）を、クライアント１３に、ユニキャスト配信する。
【０１００】
集約サーバ１２（図３）のストリームアグリゲータ３１は、ステップＳ２１において、複数のチャンネルサーバ１１がステップＳ１１で配信するサムネイルビデオを受信する。
【０１０１】
そして、ストリームアグリゲータ３１は、ステップＳ２２において、複数のチャンネルサーバ１１から受信した複数のサムネイルビデオの中から、モザイクチャンネルを構成させる２以上のサムネイルビデオを選択し、ステップＳ２３において、FLUTEストリーマ３３に供給する。
【０１０２】
集約サーバ１２のメタデータジェネレータ３２は、ステップＳ３１において、複数のチャンネルサーバ１１がステップＳ１２で配信するサムネイルビデオのMPDを受信する。
【０１０３】
そして、メタデータジェネレータ３２は、ステップＳ３２において、複数のチャンネルサーバ１１から受信した複数のサムネイルビデオのMPDのうちの、ストリームアグリゲータ３１で選択された２以上のサムネイルビデオそれぞれについてのMPDを選択し、そのMPDを用いて、サムネイルメタデータを生成する。さらに、メタデータジェネレータ３２は、ステップＳ３３において、サムネイルメタデータを、FLUTEストリーマ３３、及び、webサーバ３５に供給する。
【０１０４】
集約サーバ１２のFLUTEストリーマ３３は、ステップＳ４１において、メタデータジェネレータ３２からステップＳ３３で供給されるサムネイルメタデータを受信する。
【０１０５】
さらに、FLUTEストリーマ３３は、ステップＳ４２において、ストリームアグリゲータ３１からステップＳ２３で供給されるサムネイルビデオ（のセグメント）を受信する。
【０１０６】
FLUTEストリーマ３３は、ステップＳ４３において、メタデータジェネレータ３２からのサムネイルメタデータや、ストリームアグリゲータ３１からのサムネイルビデオを、LCTパケットに格納することによりパケット化し、ステップＳ４４において、マルチキャストサーバ３４に供給する。
【０１０７】
集約サーバ１２のwebサーバ３５は、ステップＳ５１において、メタデータジェネレータ３２からステップＳ３３で供給されるサムネイルメタデータを受信する。
【０１０８】
また、ステップＳ５２において、webサーバ３５は、クライアント１３から、サムネイルメタデータを要求するHTTPリクエストが送信されてくると、そのHTTPリクエストを受信する。
【０１０９】
そして、ステップＳ５３において、webサーバ３５は、クライアント１３からのHTTPリクエストによって要求されているサムネイルメタデータを、クライアント１３に、ユニキャスト配信する。
【０１１０】
集約サーバ１２のマルチキャストサーバ３４は、ステップＳ６１において、FLUTEストリーマ３３からステップＳ４４で供給されるLCTパケットを受信する。
【０１１１】
そして、ステップＳ６２において、マルチキャストサーバ３４は、FLUTEストリーマ３３からのサムネイルメタデータが格納されたLCTパケットを、マルチキャスト配信する。
【０１１２】
さらに、ステップＳ６３において、マルチキャストサーバ３４は、FLUTEストリーマ３３からのサムネイルビデオが配置されたLCTパケットを、マルチキャスト配信する。
【０１１３】
クライアント１３（図４）では、受信部４０が、ステップＳ７１において、マルチキャストサーバ３４がステップＳ６２でマルチキャスト配信するサムネイルメタデータ（のLCTパケット）を受信する。
【０１１４】
又は、クライアント１３では、受信部４０が、ステップＳ７２において、サムネイルメタデータを要求するHTTPリクエストを送信する。
【０１１５】
クライアント１３がステップＳ７２で送信するHTTPリクエストは、上述したように、webサーバ３５がステップＳ５２で受信し、ステップＳ５３で、そのHTTPリクエストによって要求されているサムネイルメタデータを、クライアント１３に、ユニキャスト配信する。
【０１１６】
クライアント１３の受信部４０は、ステップＳ７３において、以上のようにしてユニキャスト配信されてくるサムネイルメタデータを受信する。
【０１１７】
そして、クライアント１３の受信部４０は、ステップＳ７４において、マルチキャストサーバ３４がステップＳ６３でマルチキャスト配信するサムネイルビデオ（のLCTパケット）を、サムネイルメタデータに基づいて受信する。
【０１１８】
又は、クライアント１３では、受信部４０が、ステップＳ７５において、サムネイルメタデータに基づいて、サムネイルビデオを要求するHTTPリクエストを送信する。
【０１１９】
クライアント１３がステップＳ７５で送信するHTTPリクエストは、上述したように、チャンネルサーバ１１がステップＳ１３で受信し、ステップＳ１４で、そのHTTPリクエストによって要求されているサムネイルビデオを、クライアント１３に、ユニキャスト配信する。
【０１２０】
クライアント１３の受信部４０は、ステップＳ７６において、以上のようにしてユニキャスト配信されてくるサムネイルビデオを受信する。
【０１２１】
そして、クライアント１３の再生部４３は、ステップＳ７７において、受信部４０がステップＳ７４又はＳ７６で受信した（複数の）サムネイルビデオを再生し、そのサムネイルビデオを格子状に配置したモザイク画面を表示する。
【０１２２】
クライアント１３のユーザは、モザイク画面を見て、そのモザイク画面を構成するサムネイルビデオに対応するチャンネルを、視聴の対象として、容易に選択することができる。
【０１２３】
＜ネットワーク１０を介して配信されるデータの説明＞
【０１２４】
図６は、図１のコンテンツ提供システムにおいて、ネットワーク１０を介して配信されるデータの例を示す図である。
【０１２５】
コンテンツ提供システムでは、MPDや、SDP，USD，OMA-ESG等のメタデータと、サムネイルビデオやメインビデオ等のセグメントとが、クライアント１３に配信される。
【０１２６】
メタデータ、及び、セグメントは、マルチキャスト配信することもできるし、ユニキャスト配信することもできる。
【０１２７】
サムネイルメタデータとしては、MPD，SDP、及び、USDの組み合わせや、それらに、OMA-ESGを加えた組み合わせが用いられる。
【０１２８】
図７は、MPD，SDP，USD、及び、OMA-ESGを説明する図である。
【０１２９】
いま、ある番組を、注目する注目番組とすると、その注目番組のOMA-ESGには、注目番組の詳細情報や、注目番組のUSDへのアクセス方法等が記述される。
【０１３０】
したがって、注目番組のOMA-ESGを取得すると、そのOMA-ESGに記述されているUSDへのアクセス方法を参照することにより、注目番組のUSDを取得することができる。
【０１３１】
注目番組のUSDには、注目番組のSDPのURI(Uniform Resource Identifier)や、注目番組のMPDのURI等が記述される。
【０１３２】
したがって、注目番組のUSDを取得すると、そのUSDに記述されているSDPやMPDのURIを参照することにより、注目番組のSDPやMPDを取得することができる。
【０１３３】
注目番組のSDPには、注目番組のセグメントをマルチキャスト配信するIPアドレスとポート番号等のトランスポート属性等が記述される。
【０１３４】
したがって、注目番組のSDPを取得することにより、そのSDPに記述されているIPアドレスとポート番号に基づき、マルチキャスト配信されてくる注目番組のセグメントを受信することができる。
【０１３５】
注目番組のMPDには、注目番組のセグメントのURLや、そのセグメントの再生制御に必要な情報等が記述される。
【０１３６】
したがって、注目番組のMPDを取得することにより、そのMPDに記述されているURLに基づき、注目番組のセグメントをユニキャストで受信することができる。また、注目番組のMPDに基づき、注目番組のセグメントを再生することができる。
【０１３７】
すなわち、MPDには、セグメントの再生制御に必要な情報が含まれるため、MPDは、セグメントをユニキャストで受信するのに必要である他、セグメントの再生にも必要である。
【０１３８】
＜サムネイルビデオのアナウンス＞
【０１３９】
クライアント１３（図１）において、サムネイルビデオを受信し、複数のサムネイルビデオで構成されるモザイク画面を構成するには、どのビデオがサムネイルビデオであるかを、クライアント１３に周知（認識）させる必要がある。
【０１４０】
そこで、図１のコンテンツ提供システムでは、どのビデオがサムネイルビデオであるかを、クライアント１３に周知させるために、集約サーバ１２において、サムネイルビデオのアナウンスが行われる。
【０１４１】
サムネイルビデオのアナウンスは、ビデオがサムネイルビデオであることを表すサムネイルシグナリング情報を含むサムネイルメタデータを配信することにより行われる。
【０１４２】
ここで、サムネイルシグナリング情報は、サムネイルメタデータとしてのUSDや、MPD，OMA-ESGに含ませることができる。
【０１４３】
集約サーバ１２において、サムネイルシグナリング情報を含むサムネイルメタデータは、例えば、MBMSのインタラクションチャンネル(双方向(ptp:point to point)ベアラ上のユニキャスト)や、ブロードキャストマルチキャストチャンネル(片方向(ptm:point to multi-point)ベアラ上のブロード・マルチキャスト)を介して配信することができる。
【０１４４】
すなわち、集約サーバ１２において、サムネイルメタデータは、図３で説明したように、（放送系ネットワーク(双方向ネットワーク上のマルチキャストネットワークも含む)上での）FLUTEマルチキャストや、（双方向ネットワーク上での）HTTPユニキャストによって配信することができる。
【０１４５】
以下、携帯網上でのモバイル放送システムであるMBMSを用いて、サムネイルメタデータを配信する場合について説明する。
【０１４６】
図８は、MBMSのプロトコルスタックを示す図である。
【０１４７】
MBMSは、双方向通信のインタラクションチャンネルと、片方向通信のブロードキャストマルチキャストチャンネルを有する。
【０１４８】
MBMSのインタラクションチャンネルは、セグメント及びMPD等のメタデータ（サムネイルメタデータとしてのMPD等を含む）のHTTPユニキャスト配信に利用される。MBMSのブロードキャストマルチキャストチャンネルは、セグメント及びMPD等のメタデータのFLUTEマルチキャスト配信に利用される。
【０１４９】
サムネイルメタデータとしてのMPD、USD、MPD、及び、OMA-ESGは、いずれも、インタラクションチャンネルのService Announcement&Metadata５１や、ブロードキャストマルチキャストチャンネルのService Announcement&Metadata５２として配信することができる。
【０１５０】
なお、セグメントをマルチキャスト配信する場合には、セグメントは、ブロードキャストマルチキャストチャンネルのDownload 3GPP file format,Binary data,Still images,Text,etc.５３としてFLUTEマルチキャスト配信される。
【０１５１】
＜サムネイルメタデータとしてのUSD＞
【０１５２】
図９は、サムネイルメタデータとしてのUSDのデータモデルの例を示す図である。
【０１５３】
図９のサムネイルメタデータのデータモデルでは、MBMSのUSDのデータモデルに、r12:appServiceDescription（要素）６６が新たに導入されている。
【０１５４】
図９において、User Service Bundle Description６１は、ルートの要素であり、User Service Description６２は、サービスに関する情報である。Delivery Method６３は、セグメントの配信方法に関する情報であり、SDPを表すSession Description６４のURI等を含む。Session Description６４は、SDPを表し、media Presentation Description６５は、MPDを表す。
【０１５５】
r12:appServiceDescription６６は、サービス（放送局）（チャンネル）が提供するコンテンツ（のセグメント）が、マルチキャスト配信（若しくはブロードキャスト配信）されるか、又は、ユニキャスト配信されるかを、クライアント１３にシグナリングする情報である。
【０１５６】
ここで、図９において、例えば、User Service Bundle Description６１とUser Service Description６２とを結ぶリンク（線）Lの、User Service Description６２側の記述"1..N"は、リンクLの、記述"1..N"と反対側のUser Service Bundle Description６１が、１ないしＮの範囲の数のUser Service Description６２を包含すること（又は、参照すること）を表す。
【０１５７】
また、リンクLの、User Service Bundle Description６１側の記述"1"は、リンクLの、記述"1"と反対側のUser Service Description６２が、１個のUser Service Bundle Description６１に包含されること（又は、参照されること）を表す。
【０１５８】
後述する図１５でも同様である。
【０１５９】
図１０は、XML(Extensible Markup Language)で記述されるサムネイルメタデータとしてのUSDを構成するXMLの要素、及び、属性の例を示す図である。
【０１６０】
USDは、bundleDescription（要素）、bundleDescription/UserServiceDescription（要素）、bundleDescription/userServiceDescription/@serviceId（属性）、bundleDescription/userServiceDescription/DeliveryMethod（要素）、bundleDescription/userServiceDescription/DeliveryMethod/@sessionDescriptionURI（属性）を含む。
【０１６１】
ここで、例えば、bundleDescription/UserServiceDescriptionは、UserServiceDescription（要素）が、bundleDescription（要素）に包含される要素であることを表し、以下、UserServiceDescription、又は、/UserServiceDescriptionとも記載する。
【０１６２】
また、例えば、bundleDescription/userServiceDescription/@serviceIdは、serviceIdが、/userServiceDescriptionに属する属性であることを表し、以下、serviceId、又は、/@serviceIdとも記載する。
【０１６３】
bundleDescription要素は、１以上のサービスの集合の情報であり、UserServiceDescription要素は、個々のサービスの情報である。serviceId属性は、サービスを識別するサービス識別子であり、DeliveryMethod要素は、サービスが提供するコンテンツの配信方法の情報である。
【０１６４】
sessionDescriptionURI属性は、サービスが提供するコンテンツを受信するための情報を含むファイルを参照するための情報を表す。
【０１６５】
サービスが提供するコンテンツを受信するための情報を含むファイルとしては、例えば、SDP（ファイル）が採用される。
【０１６６】
サービスが提供するコンテンツを受信するための情報を含むファイルとして、SDPを採用する場合、サービスが提供するコンテンツを受信するための情報としては、そのコンテンツがマルチキャストで配信される場合の、そのマルチキャストのIPアドレス及びポート番号を含む情報が採用される。さらに、SDPを参照するための情報を表すsessionDescriptionURI属性には、属性値として、SDPのURI等が設定される。
【０１６７】
サムネイルメタデータとしてのUSDは、上述のbundleDescription要素、UserServiceDescription要素、serviceId属性、DeliveryMethod要素、及び、sessionDescriptionURI属性の他、サムネイルシグナリング情報を含む。
【０１６８】
なお、サムネイルメタデータとしては、以上のようなbundleDescription要素、UserServiceDescription要素、serviceId属性、DeliveryMethod要素、sessionDescriptionURI属性、及び、サムネイルシグナリング情報を含むUSDに代えて、bundleDescription要素、UserServiceDescription要素、serviceId属性、DeliveryMethod要素、及び、sessionDescriptionURI属性のうちの１以上と同等の情報と、サムネイルシグナリング情報とを含む任意のメタデータを採用することができる。
【０１６９】
図１１は、XMLで記述されるサムネイルメタデータとしてのUSDの例を示す図である。
【０１７０】
bundleDescription要素７１は、図９のUser Service Bundle Description６１に相当し、USDのルートの要素である。
【０１７１】
UserServiceDescription要素７２は、図９のUserServiceDescription６２に相当する。UserServiceDescription要素７２は、bundleDescription要素７１に包含され、個々のサービスに相当する。
【０１７２】
/@r7:serviceClass属性７３は、UserServiceDescription要素７２に属する。ここで、/@r7:serviceClass属性７３の"r7"は、/@r7:serviceClass属性７３が、3GPP仕様のリリース7で導入されたことを表す。
【０１７３】
サムネイルメタデータとしてのUSDについては、/@r7:serviceClass属性７３の属性値としてのスキーム識別子（serviceClassのクラス名）として、"urn:MosaicableComponents"が、新たに採用されている。
【０１７４】
新たな属性値"urn:MosaicableComponents"は、その属性値"urn:MosaicableComponents"が設定されている/@r7:serviceClass属性７３が記述されたUSDに対応するビデオ（USDに情報が記述されているビデオ）を配信するサービス（チャンネル）が、モザイク画面を構成するのに適したサムネイルビデオ（を含むビデオ）を配信するサービスであることを表す。
【０１７５】
したがって、属性値"urn:MosaicableComponents"が設定された/@r7:serviceClass属性７３は、ビデオがサムネイルビデオであることを表すサムネイルシグナリング情報として機能する（サムネイルシグナリング情報としての役割を果たす）。
【０１７６】
なお、図１１のUSDでは、/@r7:serviceClass属性７３の他、後述する/@thumbnailVideo属性も、サムネイルシグナリング情報として機能する。そのため、サムネイルシグナリング情報としての/@r7:serviceClass属性７３は、省略することができる。
【０１７７】
/DeliveryMethod要素７４は、図９のDelivery Method６３に相当し、/@sessionDescriptionURI属性７５を含む。
【０１７８】
/@sessionDescriptionURI属性７５には、その/@sessionDescriptionURI属性７５を含むUSDに情報が記述されているサービスが提供するコンテンツを受信するための、マルチキャストのIPアドレス及びポート番号が記述されたSDP１２１のURI（SDP１２１を参照するための情報）が設定される。
【０１７９】
記述８０，９０、及び、１００は、それぞれ、/r12:appServiceDescription要素を、最上位（階層）の要素とする記述で、１つのモザイク画面MZを構成し得る、異なる複数のサービス（チャンネル）（放送局）それぞれが提供するコンテンツの情報である。
【０１８０】
したがって、USDは、１つのモザイク画面を構成し得る複数のコンテンツそれぞれについての/r12:appServiceDescription要素を含む。
【０１８１】
ここで、記述８０，９０、及び、１００は、それぞれ、サービスch#1，ch#2、及び、ch#3が提供するコンテンツの情報であるとする。
【０１８２】
記述８０は、/UserServiceDescription要素７２に包含される/r12:appServiceDescription要素８１を含む。/r12:appServiceDescription要素８１は、サービスch#1が提供するコンテンツ（のセグメント）が、マルチキャスト配信（又はブロードキャスト配信）されるか、又は、ユニキャスト配信されるかを、クライアント１３にシグナリングする情報である。
【０１８３】
/r12:appServiceDescription要素８１は、/@mpdURI属性を含み、さらに、１以上の/broadcast要素、及び、１以上の/unicast要素のうちの一方、又は、両方を含む（包含する）。
【０１８４】
ここで、/@mpdURI属性には、その/@mpdURI属性を含む/r12:appServiceDescription要素が配信方法を表すコンテンツの再生制御を行うためのMPDのURIが設定される。
【０１８５】
/broadcast要素は、その/broadcast要素を含む/r12:appServiceDescription要素が配信方法を表すコンテンツのURLを表すbaseURL属性を含み、そのbaseURL属性でURLが表されるコンテンツが、マルチキャストで配信されることを表す。
【０１８６】
/unicast要素は、その/unicast要素を含む/r12:appServiceDescription要素が配信方法を表すコンテンツのURLを表すbaseURL属性を含み、そのbaseURL属性でURLが表されるコンテンツが、ユニキャストで配信されることを表す。
【０１８７】
図１１では、記述８０における/r12:appServiceDescription要素８１は、/@mpdURI属性８２を含み、さらに、１つの/broadcast要素８３と、２つの/unicast要素８６及び８７とを含んでいる。
【０１８８】
/r12:appServiceDescription要素８１が１つの/broadcast要素８３と、２つの/unicast要素８６及び８７とを含んでいることにより、/r12:appServiceDescription要素８１が配信方法を表すサービスch#1のコンテンツ（のストリーム）として、マルチキャスト配信されるストリームが１つ存在し、ユニキャストされるストリームが２つ存在することを認識することができる。
【０１８９】
/@mpdURI属性８２には、サービスch#1が提供するコンテンツのMPD１１１のURIが設定される。
【０１９０】
/broadcast要素８３は、サービスch#1が提供するコンテンツのあるストリーム１３１１がマルチキャスト配信されることを表し、図１１では、/@baseURL属性と、/@thumbnailVideo属性とを含んでいる。
【０１９１】
/broadcast要素８３に含まれる/@baseURL属性には、/broadcast要素８３がマルチキャスト配信されることを表すコンテンツのストリーム１３１１のURL、すなわち、/broadcast要素８３がマルチキャスト配信されることを表すサービスch#1のコンテンツのMPD１１１に記述されるストリーム１３１１のAdaptasionSet/baseURL１１１Ａが設定される。
【０１９２】
/broadcast要素８３に含まれる/@thumbnailVideo属性は、boolean型の属性であり、/broadcast要素８３がマルチキャスト配信されることを表すコンテンツのストリーム１３１１が、サムネイルビデオ（のストリーム）であるかどうかを表すサムネイルシグナリング情報として機能する。
【０１９３】
図１１では、ストリーム１３１１は、サムネイルビデオTS#1のストリームになっている。
【０１９４】
/broadcast要素８３は、さらに、/association要素８４を含み、/association要素８４は、/sessionDescription要素８５を含む。
【０１９５】
/sessionDescription要素８５は、/broadcast要素８３がマルチキャスト配信されることを表すコンテンツのストリーム１３１１がマルチキャスト配信されるIPアドレス及びポート番号が記述されたSDP１２１のURIを表す。すなわち、/sessionDescription要素８５は、/@sessionDescriptionURI属性７５が表すSDP１２１（のURI）と同一のSDP１２１を表す。
【０１９６】
/unicast要素８６は、サービスch#1が提供するコンテンツの他のストリーム（例えば、メインビデオMS#1のストリーム）がユニキャスト配信されることを表し、/@baseURL属性を含む。
【０１９７】
/unicast要素８６に含まれる/@baseURL属性には、/unicast要素８６がユニキャスト配信されることを表すコンテンツの他のストリームのURL、すなわち、/unicast要素８６がユニキャスト配信されることを表すコンテンツのMPD１１１に記述される他のストリームのAdaptasionSet/baseURL１１１Ｂが設定される。
【０１９８】
/unicast要素８７は、サービスch#1が提供するコンテンツのさらに他のストリーム（例えば、オーディオのストリーム）がユニキャスト配信されることを表し、/@baseURL属性を含む。
【０１９９】
/unicast要素８７に含まれる/@baseURL属性には、/unicast要素８７がユニキャスト配信されることを表すコンテンツのさらに他のストリームのURL、すなわち、/unicast要素８７がユニキャスト配信されることを表すコンテンツのMPD１１１に記述されるさらに他のストリームのAdaptasionSet/baseURL１１１Ｃが設定される。
【０２００】
記述９０及び１００にも、それぞれ、サービスch#1及びch#2について、記述８０と同様の情報が含まれる。
【０２０１】
ここで、図１１において、/r12:appServiceDescription要素９１ないし/unicast要素９７は、/r12:appServiceDescription要素８１ないし/unicast要素８７とそれぞれ同様の情報である。
【０２０２】
また、MPD１１２及び１１３は、それぞれ、サービスch#2及びch#3が提供するコンテンツのMPDである。
【０２０３】
サービスch#2では（サービスch#1及びch#3でも同様）、サムネイルビデオTS#2（のストリーム）がマルチキャスト配信され、メインビデオMS#2、及び、オーディオ（のストリーム）がユニキャスト配信されることになっており、MPD１１２には、それらのAdaptasionSet/baseURL（及びsegmentURL）、すなわち、サムネイルビデオTS#2のAdaptasionSet/baseURL１１２Ａ、メインビデオMS#2のAdaptasionSet/baseURL１１２Ｂ、及び、オーディオのAdaptasionSet/baseURL１１２Ｃが記述されている。
【０２０４】
さらに、図１１において、サービスch#1が提供するサムネイルビデオTS#1、サービスch#2が提供するサムネイルビデオTS#2、及び、サービスch#3が提供するサムネイルビデオは、画サイズが、例えば、480×270（横×縦）画素等の同一で、例えば、1920×1080画素の表示画面に、例えば、４行４列に配置されるビデオになっている。
【０２０５】
また、サービスch#1が提供するサムネイルビデオTS#1のストリーム１３１１、サービスch#2が提供するサムネイルビデオTS#2のストリーム１３１２、及び、サービスch#3が提供するサムネイルビデオのストリーム１３１３は、例えば、MBMSベアラ上の１つのFLUTEセッション上でまとめてマルチキャスト配信される。
【０２０６】
SDP１２１には、以上のように、サービスch#1が提供するサムネイルビデオTS#1のストリーム１３１１、サービスch#2が提供するサムネイルビデオTS#2のストリーム１３１２、及び、サービスch#3が提供するサムネイルビデオのストリーム１３１３を、１つのFLUTEセッションでマルチキャスト配信するIPアドレス、及び、ポート番号が記述されている。
【０２０７】
クライアント１３では、図１１のUSDを受信することにより、サムネイルシグナリング情報としての属性値"urn:MosaicableComponents"が設定された/@r7:serviceClass属性７３や、/@thumbnailVideo属性によって、サムネイルビデオが配信されることを認識することができる。
【０２０８】
さらに、クライアント１３では、/@thumbnailVideo属性を含む/broadcast要素８３等によって、マルチキャスト配信されるストリームが存在し、そのマルチキャスト配信されるストリームが、サムネイルビデオ（のストリーム）であることを認識することができる。
【０２０９】
そして、クライアント１３では、/broadcast要素８３/association要素８４/sessionDescription要素８５等が表すSDP１２１のURIによって、サムネイルビデオがマルチキャスト配信されるIPアドレス、及び、ポート番号が記述されたSDP１２１を受信し、そのSDP１２１に記述されたIPアドレス、及び、ポート番号に基づき、１つのFLUTEセッションでマルチキャスト配信されるサービスch#1が提供するサムネイルビデオTS#1のストリーム１３１１、サービスch#2が提供するサムネイルビデオTS#2のストリーム１３１２、及び、サービスch#3が提供するサムネイルビデオのストリーム１３１３を受信することができる。
【０２１０】
したがって、クライアント１３では、１つのモザイク画面MZを構成する、複数のサービスそれぞれが提供するコンテンツとしてのサービスch#1のサムネイルビデオTS#1、サービスch#2のサムネイルビデオTS#2、及び、サービスch#3のサムネイルビデオを受信し、それらのサムネイルビデオを用いて、モザイク画面MZを容易に生成することができる。
【０２１１】
なお、図１１のUSDには、コンテンツがマルチキャスト配信（又はブロードキャスト配信）されるか、又は、ユニキャスト配信されるかを表す/r12:appServiceDescription要素（/r12:appServiceDescription要素８１や９１）が３つ記述されているが、１つのUSDに記述する/r12:appServiceDescription要素の数は、３つに限定されるものではない。
【０２１２】
すなわち、１つのUSDには、例えば、１つのモザイク画面MZを構成し得るサムネイルビデオを提供するサービスの数だけの/r12:appServiceDescription要素を記述することができる。
【０２１３】
１つのモザイク画面MZを構成し得るサムネイルビデオとしては、例えば、野球中継等の同一のジャンルのサムネイルビデオを採用することができる。但し、１つのモザイク画面MZを構成し得るサムネイルビデオは、同一のジャンルのサムネイルビデオに限定されるものではない。
【０２１４】
また、クライアント１３では、サービスch#1のサムネイルビデオTS#1、サービスch#2のサムネイルビデオTS#2、及び、サービスch#3のサムネイルビデオが配置されたモザイク画面MZを見たユーザが、そのモザイク画面MZにおけるあるサムネイルビデオを選択した場合に、表示画面を、モザイク画面MZから、ユーザが選択したサムネイルビデオを提供するサービスによって提供されているメインビデオ（及びオーディオ）に切り替えるチャンネル選択を行うことができる。
【０２１５】
例えば、ユーザが、サービスch#1のサムネイルビデオTS#1を選択した場合、クライアント１３では、サービスch#1についての/r12:appServiceDescription要素８１（サービスch#1のサムネイルビデオTS#1がマルチキャスト配信されることを表す/broadcast要素８３を含む/r12:appServiceDescription要素８１）に含まれる/@mpdURI属性８２に基づき、サービスch#1のコンテンツのMPD１１１を取得（受信、認識）することができる。
【０２１６】
また、クライアント１３では、サービスch#1についての/r12:appServiceDescription要素８１に含まれる/unicast要素８６及び８７に基づき、サービスch#1のメインビデオMS#1及びオーディオがユニキャスト配信されることを認識することができる。
【０２１７】
そして、クライアント１３では、MPD１１１に基づき、サービスch#1のメインビデオMS#1及びオーディオを要求するHTTPリクエストを送信し、そのHTTPリクエストに応じてユニキャスト配信されるサービスch#1のメインビデオMS#1及びオーディオを受信して再生することができる。
【０２１８】
なお、サービスch#1のメインビデオMS#1及びオーディオは、ユニキャスト配信する他、サービスch#1のサムネイルビデオTS#1と同様に、マルチキャスト配信することができる。
【０２１９】
サービスch#1のメインビデオMS#1及びオーディオ（さらには、１つのモザイク画面MZを構成し得るサムネイルビデオを提供するサービスのメインビデオ及びオーディオ）は、サービスch#1のサムネイルビデオTS#1（さらには、１つのモザイク画面MZを構成し得る他のチャンネルのサムネイルビデオ）とともに、同一のFLUTEセッションでマルチキャスト配信することができる。
【０２２０】
この場合、クライアント１３でのチャネル選択のパフォーマンスを格段に向上させること、すなわち、モザイク画面MZから、ユーザが選択したサムネイルビデオを提供するサービスのメインビデオ及びオーディオへの切り替えを、極めて迅速に行うことができる。
【０２２１】
＜サムネイルメタデータとしてのMPD＞
【０２２２】
図１２は、サムネイルメタデータとしてのMPDの概要を示す図である。
【０２２３】
サムネイルメタデータとしてのMPDは、DASHのMPDと同様に構成される。
【０２２４】
すなわち、あるコンテンツCのMPDは、１つ以上のPeriodを有する。
【０２２５】
Periodは、コンテンツCを時間方向に区分した区間を表し、Periodには、そのPeriodが表す区間のstart時刻等が記述される。
【０２２６】
Periodは、必要な数のAdaptationSetを有する。AdaptationSetは、例えば、ビデオやオーディオ、字幕等のメディアごとに用意され、AdaptationSetには、言語やコーデックの情報等が記述される。
【０２２７】
AdaptationSetは、必要な数のRepresentationを有する。Representationは、例えば、ビットレート等ごとに用意され、Representationには、ビットレートや画サイズ等が記述される。
【０２２８】
Representationは、必要な数のSegmentInfoを有し、SegmentInfoには、セグメントの情報が記述される。
【０２２９】
図１３は、XMLで記述されるサムネイルメタデータとしてのMPDを構成するXMLの要素、及び、属性の例を示す図である。
【０２３０】
MPDは、MPD（要素）、MPD/@profile（属性）、MPD/Period（要素）、及び、MPD/@minBufferTime（属性）を含む。
【０２３１】
MPD要素は、ルートの要素であり、/@profile属性、及び、/@minBufferTime属性を含む。
【０２３２】
/Period要素は、その/Period要素が記述されたMPDに対応するコンテンツ（MPDによって再生制御が行われるコンテンツ）を時間方向に区切った区間の情報であり、その区間内のセグメントをまとめるために用いられる。
【０２３３】
/@profile属性は、その/@profile属性が記述されたMPDが従う運用プロファイルを表し、/@minBufferTime属性は、その/@minBufferTime属性が記述されたMPDに対応するコンテンツの再生を開始するまでに必要な最小のバッファ時間（データのバッファ量）を表す。
【０２３４】
サムネイルメタデータとしてのMPDは、上述のMPD要素、/@profile属性、/Period要素、及び、/@minBufferTime属性の他、サムネイルシグナリング情報を含む。
【０２３５】
MPDに含まれるサムネイルシグナリング情報としては、例えば、そのMPDによって再生制御が行われるコンテンツがサムネイルビデオであることを表す情報が属性値として記述されたMPD/Period/AdaptationSet/ViewPoint/@schemeIdURI属性を採用することができる。
【０２３６】
なお、サムネイルメタデータとしては、以上のようなMPD要素、/@profile属性、/Period要素、/@minBufferTime属性、及び、サムネイルシグナリング情報を含むMPDに代えて、MPD要素、/@profile属性、/Period要素、/@minBufferTime属性のうちの１以上と同等の情報と、サムネイルシグナリング情報とを含む任意のメタデータを採用することができる。
【０２３７】
図１４は、XMLで記述されるサムネイルメタデータとしてのMPDの例を示す図である。
【０２３８】
すなわち、図１４は、ビデオサムネイルを含むコンテンツ（例えば、サービスch#1が提供するコンテンツとしてのサムネイルビデオTS#1、メインビデオMS#1、及び、オーディオ）のMPDの例を示している。
【０２３９】
図１４のMPDでは、MPD要素をルートの要素として、そのMPD要素に属するPeriod要素、そのPeriod要素に属するAdaptationSet要素、及び、そのAdaptationSet要素に属するViewPoint要素が記述されている。
【０２４０】
図１４において、記述１４１におけるAdaptationSet要素は、サムネイルビデオのAdaptationSet（要素）であり、width属性及びheight属性を含んでいる。
【０２４１】
記述１４１におけるwidth=’480’ height=’270’は、サムネイルの画サイズが、480×270画素であることを表す。
【０２４２】
画サイズその他の、サムネイルビデオの表示にかかわる情報は、記述１４１におけるAdaptationSet要素に属する属性、又は、AdaptationSet要素に含まれる要素として記述される。
【０２４３】
記述１４２におけるViewPoint要素は、schemeIdURI属性を含み、図１４では、schemeIdURI属性に、属性値"urn:thumbnailVideo"が設定されている。
【０２４４】
属性値"urn:thumbnailVideo"は、その属性値"urn:thumbnailVideo"を含むMPD(MPD/Period/AdaptationSet/ViewPoint/@schemeIdURI)によって再生制御が行われるコンテンツがサムネイルビデオであることを表す新たなスキーム識別子である。
【０２４５】
属性値"urn:thumbnailVideo"が設定された、ViewPoint要素に属するschemeIdURI属性は、サムネイルシグナリング情報として機能する。
【０２４６】
なお、サムネイルビデオ（のストリーム）として、異なる複数のビットレートのストリームが用意されている場合には、記述１４１におけるAdaptationSet要素には、サムネイルビデオの複数のビットレートごとに、Representation要素を含めることができる。
【０２４７】
以上のようなMPDによれば、クライアント１３では、サムネイルビデオ（のセグメント）を特定し、そのサムネイルビデオを取得して、サムネイルビデオで構成されるモザイク画面を、容易に生成することができる。
【０２４８】
＜サムネイルメタデータとしてのOMA-ESG＞
【０２４９】
図１５は、サムネイルメタデータとしてのOMA-ESGのデータモデルの例を示す図である。
【０２５０】
図１５のサムネイルメタデータのデータモデルは、OMA-ESGのデータモデルと同様に構成される。
【０２５１】
但し、サムネイルメタデータとしてのOMA-ESGでは、そのOMA-ESGに情報が記述されるサービスが提供するコンテンツのビデオがサムネイルビデオであることを表すサムネイルシグナリング情報が、Service１５１に含まれる。
【０２５２】
さらに、サムネイルメタデータとしてのOMA-ESGでは、Access１５２が、サムネイルビデオの情報が記述されたUSD（図１１）への参照としての、例えば、USDのURIを含む。
【０２５３】
図１６は、XMLで記述されるサムネイルメタデータとしてのOMA-ESGを構成するXMLの要素、及び、属性の例を示す図である。
【０２５４】
OMA-ESGは、Access（要素）、Access/@id（属性）、Access/@version（属性）、Access/AccessType（要素）、Access/AccessType/BroadcastServiceDelivery（要素）、Access/AccessType/BroadcastServiceDelivery/SessionDescription（要素）、Access/AccessType/UnicastServiceDelivery（要素）、Access/ServiceClass（要素）、及び、Access/AccessType/BroadcastServiceDelivery/SessionDescription/USBDRef（要素）を含む。
【０２５５】
Access要素は、図１５のAccess１５２に相当し、サービスに関するサービス情報を参照する、サービスにアクセスするためのアクセス情報である。
【０２５６】
/@id属性は、アクセス情報（Access要素）を識別するアクセス情報識別子であり、/@version属性は、アクセス情報の記述内容のバージョンを表すバージョン情報である。
【０２５７】
/AccessType要素は、サービスが、放送型サービス、及び、双方向型サービスのうちのいずれであるかを表す情報であり、/BroadcastServiceDelivery要素は、サービスが、放送型サービスであることを表す情報である。
【０２５８】
/SessionDescription要素は、セッションディスクリプションを表す情報であり、UnicastServiceDelivery要素は、サービスが、双方向型サービスであることを表す情報である。
【０２５９】
/ServiceClass要素は、サービスのクラスを表す情報であり、/USBDRef要素は、サムネイルビデオの情報が記述されたUSD（図１１）を参照するための、例えば、そのUSDのURIを含む情報である。
【０２６０】
サムネイルメタデータとしてのOMA-ESGは、上述のAccess要素、Access/@id属性、Access/@version属性、Access/AccessType要素、Access/AccessType/BroadcastServiceDelivery要素、Access/AccessType/BroadcastServiceDelivery/SessionDescription要素、Access/AccessType/UnicastServiceDelivery要素、Access/ServiceClass要素、及び、/USBDRef要素の他、サムネイルシグナリング情報を含む。
【０２６１】
OMA-ESGに含まれるサムネイルシグナリング情報としては、例えば、そのOMA-ESGに対応するサービス（そのOMA-ESGに情報が記述されるサービス）が提供するコンテンツがサムネイルビデオであることを表す情報が記述された/ServiceType要素を採用することができる。
【０２６２】
/ServiceType要素は、Service要素に含まれる情報である。Service要素は、図１５のService１５１に相当し、サービスに関するサービス情報である。Service要素には、そのService要素（サービス情報）を識別するサービス識別子としてのglobalServiceID属性が属する（含まれる）。
【０２６３】
なお、サムネイルメタデータとしては、以上のようなAccess要素、Access/@id属性、Access/@version属性、Access/AccessType要素、Access/AccessType/BroadcastServiceDelivery要素、Access/AccessType/BroadcastServiceDelivery/SessionDescription要素、Access/AccessType/UnicastServiceDelivery要素、Access/ServiceClass要素、/USBDRef要素、及び、サムネイルシグナリング情報を含むOMA-ESGに代えて、Access要素、Access/@id属性、Access/@version属性、Access/AccessType要素、Access/AccessType/BroadcastServiceDelivery要素、Access/AccessType/BroadcastServiceDelivery/SessionDescription要素、Access/AccessType/UnicastServiceDelivery要素、Access/ServiceClass要素、及び、/USBDRef要素のうちの１以上と同等の情報と、サムネイルシグナリング情報とを含む任意のメタデータを採用することができる。
【０２６４】
図１７は、XMLで記述されるサムネイルメタデータとしてのOMA-ESGの例を示す図である。
【０２６５】
図１７のＡは、サムネイルメタデータとしてのOMA-ESGのService要素の例を示しており、図１７のＢは、サムネイルメタデータとしてのOMA-ESGのAccess要素の例を示している。
【０２６６】
図１７のＡのService要素では、そのService要素が記述されたOMA-ESGに対応するサービスが提供するビデオがサムネイルビデオであることを表す値としての、例えば、12が、/ServiceType要素の新規の値として導入されている。
【０２６７】
そして、/ServiceType要素に、その新規の値としての12が設定されている。
【０２６８】
図１７のＡのService要素は、サービス識別子としてのService/globalServiceID属性を含み、そのglobalServiceID属性には、図１７のＡのService要素のサービス識別子としてのID(Identification)が設定されている。
【０２６９】
ここで、/ServiceType要素に、新規の値12が設定されている場合、その/ServiceType要素を含むService要素に情報が記述されるコンテンツには、少なくともモザイク画面を構成するのに適したサムネイルビデオが含まれる。
【０２７０】
図１７のＢのAccess要素では、/USBDRef要素に、その/USBDRef要素が記述されたOMA-ESGに対応するサービスが提供するサムネイルビデオの情報が記述されたUSD（のルートの要素であるbundleDescription要素（図１１））への参照としての、例えば、そのUSDのURIを含む情報が記述されている。
【０２７１】
また、図１７のＢのAccess要素は、Access/ServiceReference要素を含み、その/ServiceReference要素は、Access/ServiceReference/@idRef属性を含んでいる。
【０２７２】
そして、/@idRef属性には、その/@idRef属性が記述されたAccess要素が参照すべきService要素のIDとして、図１７のＡのService要素のglobalServiceID属性に設定されている値が設定されている。
【０２７３】
図１８は、図１７のサムネイルメタデータとしてのOMA-ESGを説明する図である。
【０２７４】
クライアント１３は、図１７のサムネイルメタデータとしてのOMA-ESGを受信した場合、図１７のＢのAccess要素の/@idRef属性に基づき、図１７のＡのService要素を参照することができる。
【０２７５】
クライアント１３は、図１７のＡのService要素の、新規の値12が記述されている/ServiceType要素を参照することで、そのService要素が記述されたOMA-ESGに対応するサービスが提供するビデオがサムネイルビデオであることを認識することができる。
【０２７６】
そして、クライアント１３において、図１７のＡのService要素が記述されたOMA-ESGに対応するサービスが提供するサムネイルビデオが必要である場合には、図１７のＢのAccess要素の/USBDRef要素を参照することにより、その/USBDRef要素が記述されたOMA-ESGに対応するサービスが提供するサムネイルビデオの情報が記述されたUSD（のルートの要素であるbundleDescription要素（図１１））への参照としてのURIを認識し、そのURIに基づき、サムネイルビデオの情報が記述されたUSD（図１１）を取得（受信）することができる。
【０２７７】
その後、クライアント１３では、図１１のUSDを受信した場合と同様にして、サムネイルビデオを受信し、そのサムネイルビデオを用いて、モザイク画面を容易に生成することができる。
【０２７８】
なお、MPD，SDP、USD、及び、OMA-ESGの組み合わせを、サムネイルメタデータとして用いる場合には、OMA-ESGのService/ServiceType要素から、ビデオがサムネイルビデオであるかどうかを認識することができるので、USD（図１１）の/@r7:serviceClass属性７３は、省略することができる。
【０２７９】
＜コンテンツの配信方法＞
【０２８０】
図１９は、サムネイルビデオを含むコンテンツの配信方法の第１の例を示す図である。
【０２８１】
なお、図１９では、例えば、３つの放送局（サービス）のチャンネルch#1，ch#2、及び、ch#3のそれぞれにおいて、メインビデオ、オーディオ、及び、サムネイルビデオの３つのストリームが配信されることとする。
【０２８２】
また、チャンネルch#i（ここでは、i=1,2,3）で配信されるメインビデオ、オーディオ、及び、サムネイルビデオを、それぞれ、メインビデオMS#i、オーディオAS#i、及び、サムネイルビデオTM#iと表す。
【０２８３】
後述する図２０及び図２１、並びに、図２７ないし図２９でも同様である。
【０２８４】
図１９では、メインビデオMS#1ないしMS#3、オーディオAS#1ないしAS#3、及び、サムネイルビデオTM#1ないしTM#3は、マルチキャスト配信（例えば、マルチキャストFLUTEセッションによるマルチキャスト配信）、及び、ユニキャスト配信（例えば、ユニキャストHTTPセッションによるユニキャスト配信）のいずれで配信することもできる。
【０２８５】
そして、メインビデオMS#1ないしMS#3、オーディオAS#1ないしAS#3、及び、サムネイルビデオTM#1ないしTM#3が、マルチキャスト配信される場合には、サムネイルビデオTM#1ないしTM#3は、１つのFLUTEセッションFS-Tでマルチキャスト配信される。
【０２８６】
また、メインビデオMS#1は、１つのFLUTEセッションFS-M#1で、メインビデオMS#2は、１つのFLUTEセッションFS-M#2で、メインビデオMS#3は、１つのFLUTEセッションFS-M#3で、それぞれマルチキャスト配信される。
【０２８７】
さらに、オーディオAS#1は、１つのFLUTEセッションFS-A#1で、オーディオAS#2は、１つのFLUTEセッションFS-A#2で、オーディオAS#3は、１つのFLUTEセッションFS-A#3で、それぞれマルチキャスト配信される。
【０２８８】
なお、チャンネルch#1のコンテンツのMPD#1には、メインビデオMS#1、オーディオAS#1、及び、サムネイルビデオTM#1のそれぞれのAdaptationSet（要素）が含まれる。さらに、MPD#1のサムネイルビデオTM#1のAdaptationSetには、そのAdaptationSet（のビデオ）がサムネイルビデオであることをシグナリングするサムネイルシグナリング情報としての、属性値"urn:thumbnailVideo"が設定された、ViewPoint/@schemeIdURI属性が含まれる。なお、属性値"urn:thumbnailVideo"等を設定する/@schemeIdURI属性が属する要素としては、ViewPoint要素の他、例えば、Role要素や、EssentialProperty要素、SupplementalProperty要素等のViewPoint要素と同様の構造の要素を採用することができる。
【０２８９】
チャンネルch#2及びch#3それぞれのコンテンツのMPDも、同様である。
【０２９０】
図２０は、サムネイルビデオを含むコンテンツの配信方法の第２の例を示す図である。
【０２９１】
図２０では、図１９と同様に、メインビデオMS#1ないしMS#3、オーディオAS#1ないしAS#3、及び、サムネイルビデオTM#1ないしTM#3は、マルチキャスト配信、及び、ユニキャスト配信のいずれで配信することもできる。
【０２９２】
そして、メインビデオMS#1ないしMS#3、オーディオAS#1ないしAS#3、及び、サムネイルビデオTM#1ないしTM#3が、マルチキャスト配信される場合には、サムネイルビデオTM#1ないしTM#3は、図１９と同様に、１つのFLUTEセッションFS-Tでマルチキャスト配信される。
【０２９３】
また、メインビデオMS#1、及び、オーディオAS#1は、１つのFLUTEセッションFS#1で、メインビデオMS#2、及び、オーディオAS#2は、１つのFLUTEセッションFS#2で、メインビデオMS#3、及び、オーディオAS#3は、１つのFLUTEセッションFS#3で、それぞれマルチキャスト配信される。
【０２９４】
なお、チャンネルch#1のコンテンツのMPD#1、チャンネルch#2のコンテンツのMPD、及び、チャンネルch#3のコンテンツのMPDは、図１９の場合と同様に構成される。
【０２９５】
図２１は、サムネイルビデオを含むコンテンツの配信方法の第３の例を示す図である。
【０２９６】
図２１では、図１９と同様に、メインビデオMS#1ないしMS#3、オーディオAS#1ないしAS#3、及び、サムネイルビデオTM#1ないしTM#3は、マルチキャスト配信、及び、ユニキャスト配信のいずれで配信することもできる。
【０２９７】
そして、メインビデオMS#1ないしMS#3、オーディオAS#1ないしAS#3、及び、サムネイルビデオTM#1ないしTM#3が、マルチキャスト配信される場合には、それらのメインビデオMS#1ないしMS#3、オーディオAS#1ないしAS#3、及び、サムネイルビデオTM#1ないしTM#3のすべてが、１つのFLUTEセッションFSでマルチキャスト配信される。
【０２９８】
なお、チャンネルch#1のコンテンツのMPD#1、チャンネルch#2のコンテンツのMPD、及び、チャンネルch#3のコンテンツのMPDは、図１９の場合と同様に構成される。
【０２９９】
＜モザイク画面の表示例＞
【０３００】
図２２は、クライアント１３でのモザイク画面の表示例を示す図である。
【０３０１】
クライアント１３では、上述したように、サムネイルメタデータとしてのMPD，SDP、及び、USDの組み合わせや、それらに、OMA-ESGを加えた組み合わせに基づき、サムネイルビデオを受信し、そのサムネイルビデオを格子状等に配置したモザイク画面を表示することができる。
【０３０２】
図２２のＡは、１６個のサムネイルビデオを、４行４列に配置したモザイク画面の例を示しており、図２２のＢは、４個のサムネイルビデオを、２行２列に配置したモザイク画面の例を示している。
【０３０３】
いま、クライアント１３において、１６個のサムネイルビデオを受信した場合、各サムネイルビデオの画サイズが、例えば、480×270画素であり、クライアント１３の表示画面のサイズが、例えば、1920×1080画素（以上）であるときには、図２２のＡに示したように、クライアント１３で受信した１６個のサムネイルビデオすべてを４行４列に配置したモザイク画面を表示することができる。
【０３０４】
しかしながら、クライアント１３の表示画面のサイズが、1920×1080画素より小さい、例えば、960×540画素である場合には、クライアント１３において、１６個のサムネイルビデオを受信しても、モザイク画面として表示するサムネイルビデオの数は、図２２のＢに示したように、４個に制限される。
【０３０５】
以上のように、クライアント１３の表示画面のサイズが小さく、モザイク画面として表示するサムネイルビデオの数が、クライアント１３が受信したサムネイルビデオの数よりも少ない数に制限される場合には、例えば、クライアント１３の表示画面のサイズに応じて、サムネイルビデオの画サイズを小さい画サイズに加工することにより、クライアント１３が受信したサムネイルビデオのすべてを、モザイク画面に表示することができる。
【０３０６】
すなわち、480×270画素のサムネイルビデオを、240×135画素のサムネイルビデオに加工することにより、960×540画素の表示画面に、１６個のサムネイルビデオのすべてを、モザイク画面として表示することができる。
【０３０７】
しかしながら、この場合、クライアント１３において、サムネイルビデオの画サイズを加工する必要があり、クライアント１３の処理負担が大になる。さらに、サムネイルビデオの画サイズを小さい画サイズに加工して、モザイク画面を構成（生成）する場合には、各サムネイルビデオが見にくくなることがある。
【０３０８】
ところで、上述のように、モザイク画面として表示するサムネイルビデオの数が制限される場合は勿論、制限されない場合であっても、モザイク画面を構成するサムネイルビデオ（モザイク画面として表示するサムネイルビデオ）を、ユーザの嗜好や、何らかの優先度等に基づいて、モザイク画面を構成するサムネイルビデオを選択（フィルタリング）することができれば、ユーザにとって適切（最適）なモザイク画面を提供することができる。
【０３０９】
そこで、本技術では、コンテンツ（サムネイルビデオ）の内容を記述する属性であるコンテンツディスクリプションメタデータを導入し、クライアント１３において、コンテンツディスクリプションメタデータを用いて、モザイク画面を構成するサムネイルビデオを選択することで、ユーザにとって適切なモザイク画面を提供する。
【０３１０】
＜コンテンツディスクリプションメタデータを導入したMPDの第１の例＞
【０３１１】
図２３は、コンテンツディスクリプションメタデータを導入したサムネイルメタデータとしてのMPDの第１の例を示す図である。
【０３１２】
図２３のMPDは、図１４の記述１４２に代えて、記述２０１が設けられている他は、図１４のMPDと同様に構成される。
【０３１３】
記述２０１におけるViewPoint要素は、図１４の記述１４２と同様に、schemeIdURI属性を含み、図２３では、schemeIdURI属性に、属性値"urn:thumbnailVideo:dic"が設定されている。
【０３１４】
属性値"urn:thumbnailVideo:dic"のうちの、コロン(:)の手前側の記述"urn:thumbnailVideo"は、図１４で説明したように、コンテンツがサムネイルビデオであることを表す新たなスキーム識別子であり、このスキーム識別子"urn:thumbnailVideo"によれば、クライアント１３は、コンテンツ（のビデオ）がサムネイルビデオであることを認識することができる。
【０３１５】
属性値"urn:thumbnailVideo:dic"のうちの、コロンに続く記述"dic"は、後述するvalue属性の構成要素を定義する辞書を指定する情報（辞書定義）である。
【０３１６】
記述２０１におけるViewPoint要素は、以上のようなschemeIdURI属性の他、新たな属性であるvalue属性を含む。
【０３１７】
value属性は、そのvalue属性を含むMPD(MPD/Period/AdaptationSet/ViewPoint)によって再生制御が行われるコンテンツの内容を記述するコンテンツディスクリプションメタデータであり、value属性には、コンテンツの内容を表す項目が、属性値として設定される。
【０３１８】
図２３では、value属性には、属性値"X, Y, Z, …"が記述されている。
【０３１９】
value属性には、属性値として、１以上の項目を記述することができ、value属性に、複数の項目を、属性値として設定される場合には、複数の項目X, Y, Z, …は、例えば、図２３に示したように、コンマ(,)で区切って記述される。
【０３２０】
value属性に設定された属性値を構成する構成要素である項目は、上述したように、属性値"urn:thumbnailVideo:dic"のコロンに続く記述"dic"によって指定される辞書で定義される。
【０３２１】
したがって、クライアント１３では、属性値"urn:thumbnailVideo:dic"のコロンに続く記述"dic"によって指定される辞書に基づき、value属性に設定された属性値の各項目の定義（意味内容）を認識することができる。
【０３２２】
例えば、いま、属性値"urn:thumbnailVideo:dic"のコロンに続く記述"dic"によって指定される辞書において、value属性に設定される属性値の１個目、２個目、及び、３個目の項目が、それぞれ、ジャンルを表すジャンル識別情報、国を表す国識別情報、及び、地域を表す地域識別情報であることが定義されていることとする。
【０３２３】
この場合、例えば、コンテンツ（のサムネイルビデオ）のジャンルが、野球の試合を中継する"baseball(野球中継)"であり、野球の試合が開催されている開催国が"US(アメリカ)"であり、野球の試合が開催されている開催地域が"CA(カリフォルニア)"であるとき、集約サーバ１２（のメタデータジェネレータ３２（図３））では、value属性に、属性値“baseball, US, CA"が設定される（エンコードされる）。
【０３２４】
クライアント１３では、属性値"urn:thumbnailVideo:dic"のコロンに続く記述"dic"によって指定される辞書に基づき、value属性に設定されている属性値“baseball, US, CA"から、コンテンツのジャンルが、野球中継であり、野球の試合は、アメリカのカリフォルニアで開催されていることを認識することができる。
【０３２５】
図２４は、１つのFLUTEセッションでマルチキャスト配信される複数のサムネイルビデオ（のストリーム）の例を模式的に示す図である。
【０３２６】
例えば、１つのFLUTEセッションで、画サイズが480×270画素で同一の１６個のサムネイルビデオがマルチキャスト配信されており、その１６個のサムネイルビデオの（AdaptationSetが記述された）MPDでは、サムネイルビデオのAdaptationSet要素に含まれるViewPoint要素に属する属性schemeIdURI属性に、図２３と同様の属性値"urn:thumbnailVideo:dic"が設定されていることとする。
【０３２７】
さらに、各サムネイルビデオについて、value属性に、図２４に示す属性値が設定されていることとする。
【０３２８】
この場合、クライアント１３の表示画面のサイズが、例えば、1920×1080画素（以上）であるときには、クライアント１３では、図２２のＡに示したように、１つのFLUTEセッションで配信されてくる、画サイズが480×270画素の１６個のサムネイルビデオすべてを、４行４列に配置したモザイク画面が表示される。
【０３２９】
一方、クライアント１３の表示画面のサイズが、1920×1080画素より小さい、例えば、960×540画素であるときには、クライアント１３において、モザイク画面として表示するサムネイルビデオの数は、図２２のＢに示したように、１６個のサムネイルビデオのうちの、２行２列の４個に制限される。
【０３３０】
したがって、この場合、１６個のサムネイルビデオの中から、モザイク画面に表示する４個のサムネイルビデオを選択する必要がある。
【０３３１】
そこで、クライアント１３は、サムネイルビデオについてのvalue属性（に設定された属性値）を用いて、モザイク画面に表示する（モザイク画面を構成する）４個のサムネイルビデオを選択するフィルタリング（以下、サムネイルフィルタリングともいう）を行う。
【０３３２】
サムネイルフィルタリングは、例えば、クライアント１３のユーザの嗜好を表す嗜好情報等に基づいて行うことができる。
【０３３３】
すなわち、例えば、ユーザが、アメリカ(US)のカリフォルニア(CA)で開催される中継を視聴する頻度が高い場合や、ユーザがいる場所（クライアント１３の位置）が、アメリカのカリフォルニアである場合等には、サムネイルフィルタリングでは、１６個のサムネイルビデオの中から、value属性に設定されている属性値のうちの国識別情報がアメリカを表す"US"で、地域識別情報がカリフォルニアを表す"CA"になっているサムネイルビデオが、モザイク画面に表示するサムネイルビデオとして選択される。
【０３３４】
なお、サムネイルフィルタリングで選択されたサムネイルビデオの数が、モザイク画面に表示することができるサムネイルビデオの数よりも多い場合には、クライアント１３では、例えば、サムネイルフィルタリングで選択されたサムネイルビデオの中から、モザイク画面に表示することができる数のサムネイルビデオを、例えば、ランダムに選択することができる。又は、クライアント１３の表示画面よりも大きいサイズのモザイク画面を生成し、そのモザイク画面を、ユーザの操作等に応じてスクロールさせることができる。
【０３３５】
以上のように、サムネイルビデオをクライアント１３でサムネイルフィルタリングするための動的に変更可能な指標としてのvalue属性をMPDに付加することにより、クライアント１３のデバイスレンダリング環境の制約としての表示画面のサイズに合わせた効率的なモザイク画面によるサービスセレクションプロセス（チャンネル選択）を実現することができる。
【０３３６】
＜コンテンツディスクリプションメタデータを導入したMPDの第２の例＞
【０３３７】
図２５は、コンテンツディスクリプションメタデータを導入したサムネイルメタデータとしてのMPDの第２の例を示す図である。
【０３３８】
図２５のMPDは、図２３の記述２０１に代えて、記述２１１及び２１２が設けられている他は、図２３のMPDと同様に構成される。
【０３３９】
記述２１１及び２１２におけるViewPoint要素は、図２３の記述２０１におけるViewPoint要素と同様に、schemeIdURI属性、及び、コンテンツディスクリプションメタデータとしてのvalue属性を含んでいる。
【０３４０】
記述２１１では、schemeIdURI属性に、属性値"urn:thumbnailVideo:dic"が設定されており、記述２１２では、schemeIdURI属性に、属性値"urn:thumbnailVideo:JapaneseParameters"が設定されている。
【０３４１】
図２３で説明したように、ViewPoint要素に属するschemeIdURI属性に設定される属性値"urn:thumbnailVideo:dic"や、"urn:thumbnailVideo:JapaneseParameters"のうちの、コロンの手前側の記述"urn:thumbnailVideo"は、コンテンツがサムネイルビデオであることを表すスキーム識別子であり、このスキーム識別子"urn:thumbnailVideo"によれば、クライアント１３は、コンテンツ（のビデオ）がサムネイルビデオであることを認識することができる。
【０３４２】
さらに、図２３で説明したように、属性値"urn:thumbnailVideo:dic"や、"urn:thumbnailVideo:JapaneseParameters"のうちの、コロンに続く記述"dic"や、"JapaneseParameters"は、value属性の構成要素を定義する辞書を指定する情報（辞書定義）である。
【０３４３】
いま、記述"dic"、及び、"JapaneseParameters"によって指定される辞書において、例えば、value属性に設定される属性値の１個目、２個目、及び、３個目の項目が、それぞれ、ジャンルを表すジャンル識別情報、国を表す国識別情報、及び、地域を表す地域識別情報であることが定義されていることとする。
【０３４４】
但し、記述"dic"によって指定される辞書（以下、"dic"辞書ともいう）では、ジャンル識別情報、国識別情報、及び、地域識別情報の言語が、例えば、英語であることが規定（定義）され、記述"JapaneseParameters"によって指定される辞書（以下、"JapaneseParameters"辞書ともいう）では、ジャンル識別情報、国識別情報、及び、地域識別情報の言語が、英語と異なる言語である、例えば、日本語であることが規定されている。
【０３４５】
このため、"dic"辞書が指定されている記述２１１では、value属性に、ジャンル識別情報、国識別情報、及び、地域識別情報としての属性値が、"baseball, US, CA"のように、英語で記述されている。
【０３４６】
一方、"JapaneseParameters"辞書が指定されている記述２１２では、value属性に、ジャンル識別情報、国識別情報、及び、地域識別情報としての属性値が、"野球,アメリカ合衆国,カリフォルニア"のように、日本語で記述されている。
【０３４７】
以上のように、MPD（のAdaptationSet要素の中）には、複数のViewPoint要素を配置し、異なる言語によって、value属性（に設定される属性値）を記述することができる。
【０３４８】
＜コンテンツディスクリプションメタデータを導入したMPDの第３の例＞
【０３４９】
図２６は、コンテンツディスクリプションメタデータを導入したサムネイルメタデータとしてのMPDの第３の例を示す図である。
【０３５０】
図２６のMPDは、図２３の記述２０１に代えて、記述２２１が設けられている他は、図２３のMPDと同様に構成される。
【０３５１】
記述２２１におけるViewPoint要素は、図２３の記述２０１におけるViewPoint要素と同様に、schemeIdURI属性、及び、コンテンツディスクリプションメタデータとしてのvalue属性を含んでいる。
【０３５２】
記述２１１では、schemeIdURI属性に、属性値"http://baseballAuthority.com/thumbnailVideoGenre"が設定されている。
【０３５３】
属性値"http://baseballAuthority.com/thumbnailVideoGenre"は、コンテンツがサムネイルビデオであることを表すスキーム識別子と、value属性の構成要素を定義する辞書を指定する情報（辞書定義）との両方の役割を果たす。
【０３５４】
したがって、クライアント１３は、属性値"http://baseballAuthority.com/thumbnailVideoGenre"によって、コンテンツ（のビデオ）がサムネイルビデオであることを認識することができる。
【０３５５】
さらに、属性値"http://baseballAuthority.com/thumbnailVideoGenre"は、httpのURLであり、このhttpのURLは、value属性の構成要素（項目）を定義する辞書のアドレスを表す。
【０３５６】
以上のように、httpのURLによって、value属性の構成要素を定義する辞書を指定する場合には、value属性の構成要素を定義する辞書を、インターネット等のネットワーク上の(web)サーバに配置することや、（クライアント１３が双方向ベアラを利用することができないケースに備えて、）サムネイルビデオを配信するのと同一のFLUTEセッションで配信することができる。
【０３５７】
この場合、value属性の構成要素を定義する辞書を容易に変更することができ、したがって、その辞書によるvalue属性の構成要素の定義の変更（追加、削除を含む）を、柔軟かつ容易に行うことができる。
【０３５８】
＜コンテンツの配信方法＞
【０３５９】
図２７、図２８、及び、図２９は、MPDに、コンテンツディスクリプションメタデータとしてのvalue属性を導入した場合の、サムネイルビデオを含むコンテンツの配信方法の例を示す図である。
【０３６０】
すなわち、図２７は、サムネイルビデオを含むコンテンツの配信方法の第４の例を、図２８は、サムネイルビデオを含むコンテンツの配信方法の第５の例を、図２９は、サムネイルビデオを含むコンテンツの配信方法の第６の例を、それぞれ示す図である。
【０３６１】
図２７ないし図２９では、図１９ないし図２１の場合とそれぞれ同様に、３つの放送局（サービス）のチャンネルch#1ないしch#3のメインビデオMS#1ないしMS#3、オーディオAS#1ないしAS#3、及び、サムネイルビデオTM#1ないしTM#3が配信される。
【０３６２】
また、図２７ないし図２９では、図１９ないし図２１の場合と同様に、チャンネルch#1のコンテンツのMPD#1には、メインビデオMS#1、オーディオAS#1、及び、サムネイルビデオTM#1のそれぞれのAdaptationSet（要素）が含まれ、MPD#1のサムネイルビデオTM#1のAdaptationSetには、そのAdaptationSet（のビデオ）がサムネイルビデオであることをシグナリングするサムネイルシグナリング情報としての、例えば、属性値"urn:thumbnailVideo"が設定された、ViewPoint/@schemeIdURI属性が含まれる。
【０３６３】
さらに、図２７ないし図２９では、MPD#1のサムネイルビデオTM#1のAdaptationSetに、コンテンツディスクリプションメタデータとしてのvalue属性（、及び、value属性の構成要素を定義する辞書を指定する情報）が含まれ、この点が、図１９ないし図２１の場合と異なる。
【０３６４】
以上のように、図２７ないし図２９は、MPD#1（チャンネルch#2及びch#3それぞれのコンテンツのMPDも同様）のサムネイルビデオTM#1のAdaptationSetに、コンテンツディスクリプションメタデータとしてのvalue属性が含まれる点以外は、図１９ないし図２１とそれぞれ同様であるため、その説明は省略する。
【０３６５】
＜クライアント１３でのモザイク画面の表示＞
【０３６６】
図３０は、クライアント１３でのモザイク画面の表示の処理の例を説明するフローチャートである。
【０３６７】
ステップＳ１０１において、ミドルウェア４１（図４）は、USDを受信することにより、又は、OMA-ESGを受信し、そのOMA-ESGに基づいて、USDを受信することにより、サムネイルビデオのUSDを収集して、処理は、ステップＳ１０２に進む。
【０３６８】
ステップＳ１０２では、ミドルウェア４１が、サムネイルビデオのUSDに基づいて、サムネイルビデオのMPDを受信し、DASHクライアント４２（図４）に供給して（渡して）、処理は、ステップＳ１０３に進む。
【０３６９】
ステップＳ１０３では、DASHクライアント４２は、ミドルウェア４１からのサムネイルビデオのMPDに基づき、そのサムネイルビデオ（のセグメント）を要求するHTTPリクエストを、ミドルウェア４１に発して、処理は、ステップＳ１０４に進む。
【０３７０】
ステップＳ１０４では、ミドルウェア４１は、DASHクライアント４２によるHTTPリクエストによって要求されたサムネイルビデオがマルチキャスト配信されているかどうかを、USDやOMA-ESGに基づいて判定する。
【０３７１】
ステップＳ１０４において、サムネイルビデオがマルチキャスト配信されていると判定された場合、処理は、ステップＳ１０５に進み、ミドルウェア４１は、マルチキャスト配信されてくるサムネイルビデオを受信して、DASHクライアント４２に供給し、処理は、ステップＳ１０７に進む。
【０３７２】
一方、ステップＳ１０４において、サムネイルビデオがマルチキャスト配信されていないと判定された場合、処理は、ステップＳ１０６に進み、ミドルウェア４１は、DASHクライアント４２からのHTTPリクエストを、ネットワーク１０上に発する。さらに、ミドルウェア４１は、そのHTTPリクエストに応じて、チャンネルサーバ１１（又は集約サーバ１２）からユニキャスト配信されてくるサムネイルビデオを受信して、DASHクライアント４２に供給し、処理は、ステップＳ１０７に進む。
【０３７３】
ステップＳ１０７では、受信部４０（図４）は、サムネイルフィルタリングがオンになっているかどうかを判定する。
【０３７４】
ここで、サムネイルフィルタリングのオン及びオフ、すなわち、サムネイルフィルタリングを行うか、行わないかは、例えば、クライアント１３を操作することにより設定することができる。
【０３７５】
ステップＳ１０７において、サムネイルフィルタリングがオンになっていると判定された場合、処理は、ステップＳ１０８に進み、DASHクライアント４２は、ミドルウェア４１から供給されたサムネイルビデオを対象として、そのサムネイルビデオのMPDに記述されたコンテンツディスクリプションメタデータとしてのvalue属性を用いて、サムネイルフィルタリングを行い、ミドルウェア４１から供給されたサムネイルビデオの中から、モザイク画面を構成するサムネイルビデオを選択して、再生部４３（図４）に供給する。
【０３７６】
ここで、サムネイルフィルタリングで選択されたサムネイルビデオの数が、モザイク画面に表示することができるサムネイルビデオの数よりも多い場合には、クライアント１３では、例えば、サムネイルフィルタリングで選択されたサムネイルビデオの中から、モザイク画面に表示することができる数（以下）のサムネイルビデオを、例えば、ランダムに選択することができる。
【０３７７】
一方、ステップＳ１０７において、サムネイルフィルタリングがオンになっていないと判定された場合、処理は、ステップＳ１０９に進み、DASHクライアント４２は、ミドルウェア４１から供給されたサムネイルビデオの中から、モザイク画面に表示することができる数のサムネイルビデオを、例えば、ランダムに選択し、再生部４３に供給する。
【０３７８】
ステップＳ１０８及びＳ１０９の後、処理は、ステップＳ１１０に進み、再生部４３は、DASHクライアント４２からのサムネイルビデオを並べたモザイク画面を構成して表示し、モザイク画面の表示の処理は終了する。
【０３７９】
＜本技術を適用したコンピュータの説明＞
【０３８０】
次に、上述した一連の処理は、ハードウェアにより行うこともできるし、ソフトウェアにより行うこともできる。一連の処理をソフトウェアによって行う場合には、そのソフトウェアを構成するプログラムが、汎用のコンピュータ等にインストールされる。
【０３８１】
そこで、図３１は、上述した一連の処理を実行するプログラムがインストールされるコンピュータの一実施の形態の構成例を示している。
【０３８２】
プログラムは、コンピュータに内蔵されている記録媒体としてのハードディスク４０５やROM４０３に予め記録しておくことができる。
【０３８３】
あるいはまた、プログラムは、リムーバブル記録媒体４１１に格納（記録）しておくことができる。このようなリムーバブル記録媒体４１１は、いわゆるパッケージソフトウエアとして提供することができる。ここで、リムーバブル記録媒体４１１としては、例えば、フレキシブルディスク、CD-ROM(Compact Disc Read Only Memory)，MO(Magneto Optical)ディスク，DVD(Digital Versatile Disc)、磁気ディスク、半導体メモリ等がある。
【０３８４】
なお、プログラムは、上述したようなリムーバブル記録媒体４１１からコンピュータにインストールする他、通信網や放送網を介して、コンピュータにダウンロードし、内蔵するハードディスク４０５にインストールすることができる。すなわち、プログラムは、例えば、ダウンロードサイトから、ディジタル衛星放送用の人工衛星を介して、コンピュータに無線で転送したり、LAN(Local Area Network)、インターネットといったネットワークを介して、コンピュータに有線で転送することができる。
【０３８５】
コンピュータは、CPU(Central Processing Unit)４０２を内蔵しており、CPU４０２には、バス４０１を介して、入出力インタフェース４１０が接続されている。
【０３８６】
CPU４０２は、入出力インタフェース４１０を介して、ユーザによって、入力部４０７が操作等されることにより指令が供給されると、それに従って、ROM(Read Only Memory)４０３に格納されているプログラムを実行する。あるいは、CPU４０２は、ハードディスク４０５に格納されたプログラムを、RAM(Random Access Memory)４０４にロードして実行する。
【０３８７】
これにより、CPU４０２は、上述したフローチャートにしたがった処理、あるいは上述したブロック図の構成により行われる処理を行う。そして、CPU４０２は、その処理結果を、必要に応じて、例えば、入出力インタフェース４１０を介して、出力部４０６から出力、あるいは、通信部４０８から送信、さらには、ハードディスク４０５に記録等させる。
【０３８８】
なお、入力部４０７は、キーボードや、マウス、マイク等で構成される。また、出力部４０６は、LCD(Liquid Crystal Display)やスピーカ等で構成される。
【０３８９】
ここで、本明細書において、コンピュータがプログラムに従って行う処理は、必ずしもフローチャートとして記載された順序に沿って時系列に行われる必要はない。すなわち、コンピュータがプログラムに従って行う処理は、並列的あるいは個別に実行される処理（例えば、並列処理あるいはオブジェクトによる処理）も含む。
【０３９０】
また、プログラムは、１のコンピュータ（プロセッサ）により処理されるものであっても良いし、複数のコンピュータによって分散処理されるものであっても良い。さらに、プログラムは、遠方のコンピュータに転送されて実行されるものであっても良い。
【０３９１】
さらに、本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０３９２】
なお、本技術の実施の形態は、上述した実施の形態に限定されるものではなく、本技術の要旨を逸脱しない範囲において種々の変更が可能である。
【０３９３】
例えば、本技術は、１つの機能をネットワークを介して複数の装置で分担、共同して処理するクラウドコンピューティングの構成をとることができる。
【０３９４】
また、上述のフローチャートで説明した各ステップは、１つの装置で実行する他、複数の装置で分担して実行することができる。
【０３９５】
さらに、１つのステップに複数の処理が含まれる場合には、その１つのステップに含まれる複数の処理は、１つの装置で実行する他、複数の装置で分担して実行することができる。
【０３９６】
また、本技術は、DASH以外のコンテンツの配信に適用することができる。
【０３９７】
また、本明細書に記載された効果はあくまで例示であって限定されるものではなく、他の効果があってもよい。
【０３９８】
なお、本技術は、以下のような構成をとることができる。
【０３９９】
＜１＞
属性と属性値とを用いて記述されるメタデータであり、
ビデオが、モザイク画面を構成するのに適したサムネイルビデオであることを表すシグナリング情報と、
サービスが提供するコンテンツを受信するための情報を含むファイルを参照するための情報を表す前記属性と
を含むコンテンツのメタデータを配信する配信部を備える
送信装置。
＜２＞
前記サービスが提供するコンテンツを受信するための情報は、マルチキャストのIPアドレス及びポート番号を含む
＜１＞に記載の送信装置。
＜３＞
前記ファイルは、SDP(Session Description Protocol)ファイルである
＜１＞又は＜２＞に記載の送信装置。
＜４＞
前記メタデータは、１以上のサービスの集合の情報、個々のサービスの情報、サービスを識別する前記属性であるサービス識別子、及び、サービスが提供するコンテンツの配信方法の情報のうちの１以上をさらに含む
＜１＞ないし＜３＞のいずれかに記載の送信装置。
＜５＞
前記メタデータは、MBMS(Multimedia Broadcast Multicast Service)のUSD(User Service Description)であり、
前記１以上のサービスの集合の情報であるbundleDescription要素と、
前記個々のサービスの情報であるbundleDescription/UserServiceDescription要素と、
前記サービス識別子であるbundleDescription/userServiceDescription/@serviceId属性と、
前記サービスが提供するコンテンツの配信方法の情報であるbundleDescription/userServiceDescription/DeliveryMethod要素と、
前記サービスが提供するコンテンツを受信するための情報を含むファイルを参照するための情報を表す前記属性であるbundleDescription/userServiceDescription/DeliveryMethod/@sessionDescriptionURI属性と、
前記シグナリング情報であるbundleDescription/userServiceDescription/@r7:serviceClass属性と
を含む
＜４＞に記載の送信装置。
＜６＞
前記USDは、前記サービスが提供するコンテンツが、マルチキャスト及びユニキャストのいずれの配信方法で配信されるかを表すr12:appServiceDescription要素をさらに含む
＜５＞に記載の送信装置。
＜７＞
前記r12:appServiceDescription要素は、broadcast要素、及び、unicast要素のうちの一方、又は、両方を含み、
前記broadcast要素、及び、unicast要素は、前記サービスが提供するコンテンツのURL(Uniform Resource Locator)を表すbaseURL属性を含み、
前記broadcast要素は、そのbroadcast要素が含む前記baseURL属性でURLが表されるコンテンツが、マルチキャストで配信されることを表し、
前記unicast要素は、そのunicast要素が含む前記baseURL属性でURLが表されるコンテンツが、ユニキャストで配信されることを表す
＜６＞に記載の送信装置。
＜８＞
前記broadcast要素は、そのbroadcast要素が含む前記baseURL属性でURLが表されるコンテンツが、前記サムネイルビデオであるかどうかを表すthumbnailVideo属性を、前記シグナリング情報として含む
＜７＞に記載の送信装置。
＜９＞
前記USDは、１つのモザイク画面を構成し得る複数のコンテンツそれぞれについての前記r12:appServiceDescription要素を含む
＜８＞に記載の送信装置。
＜１０＞
前記broadcast要素は、そのbroadcast要素が含む前記baseURL属性でURLが表されるコンテンツが配信されるマルチキャストのIPアドレス及びポート番号を含むSDP(Session Description Protocol)ファイルを参照するための情報を表すseccionDescription要素を含む
＜７＞ないし＜９＞のいずれかに記載の送信装置。
＜１１＞
前記r12:appServiceDescription要素は、そのr12:appServiceDescription要素が配信方法を表すコンテンツの再生制御を行うためのメタデータであるMPEG-DASH（Moving Picture Experts Group-Dynamic Adaptive Streaming over HTTP)のMPD(Media Presentation Description)のURI(Uniform Resource Identifier)を表すmpdURI属性を含む
＜６＞ないし＜１０＞のいずれかに記載の送信装置。
＜１２＞
属性と属性値とを用いて記述されるメタデータであり、
ビデオが、モザイク画面を構成するのに適したサムネイルビデオであることを表すシグナリング情報と、
サービスが提供するコンテンツを受信するための情報を含むファイルを参照するための情報を表す前記属性と
を含むコンテンツのメタデータを配信する
ステップを含む送信方法。
＜１３＞
属性と属性値とを用いて記述されるメタデータであり、
ビデオが、モザイク画面を構成するのに適したサムネイルビデオであることを表すシグナリング情報と、
サービスが提供するコンテンツを受信するための情報を含むファイルを参照するための情報を表す前記属性と
を含むコンテンツのメタデータを受信する受信部を備える
受信装置。
＜１４＞
前記サービスが提供するコンテンツを受信するための情報は、マルチキャストのIPアドレス及びポート番号を含む
＜１３＞に記載の受信装置。
＜１５＞
前記ファイルは、SDP(Session Description Protocol)ファイルである
＜１３＞又は＜１４＞に記載の受信装置。
＜１６＞
前記メタデータは、１以上のサービスの集合の情報、個々のサービスの情報、サービスを識別する前記属性であるサービス識別子、及び、サービスが提供するコンテンツの配信方法の情報のうちの１以上をさらに含む
＜１３＞ないし＜１５＞のいずれかに記載の受信装置。
＜１７＞
前記メタデータは、MBMS(Multimedia Broadcast Multicast Service)のUSD(User Service Description)であり、
前記１以上のサービスの集合の情報であるbundleDescription要素と、
前記個々のサービスの情報であるbundleDescription/UserServiceDescription要素と、
前記サービス識別子であるbundleDescription/userServiceDescription/@serviceId属性と、
前記サービスが提供するコンテンツの配信方法の情報であるbundleDescription/userServiceDescription/DeliveryMethod要素と、
前記サービスが提供するコンテンツを受信するための情報を含むファイルを参照するための情報を表す前記属性であるbundleDescription/userServiceDescription/DeliveryMethod/@sessionDescriptionURI属性と、
前記シグナリング情報であるbundleDescription/userServiceDescription/@r7:serviceClass属性と
を含む
＜１６＞に記載の受信装置。
＜１８＞
前記USDは、前記サービスが提供するコンテンツが、マルチキャスト及びユニキャストのいずれの配信方法で配信されるかを表すr12:appServiceDescription要素をさらに含む
＜１７＞に記載の受信装置。
＜１９＞
前記r12:appServiceDescription要素は、broadcast要素、及び、unicast要素のうちの一方、又は、両方を含み、
前記broadcast要素、及び、unicast要素は、前記サービスが提供するコンテンツのURL(Uniform Resource Locator)を表すbaseURL属性を含み、
前記broadcast要素は、そのbroadcast要素が含む前記baseURL属性でURLが表されるコンテンツが、マルチキャストで配信されることを表し、
前記unicast要素は、そのunicast要素が含む前記baseURL属性でURLが表されるコンテンツが、ユニキャストで配信されることを表す
＜１８＞に記載の受信装置。
＜２０＞
前記broadcast要素は、そのbroadcast要素が含む前記baseURL属性でURLが表されるコンテンツが、前記サムネイルビデオであるかどうかを表すthumbnailVideo属性を、前記シグナリング情報として含む
＜１９＞に記載の受信装置。
＜２１＞
前記USDは、１つのモザイク画面を構成し得る複数のコンテンツそれぞれについての前記r12:appServiceDescription要素を含む
＜２０＞に記載の受信装置。
＜２２＞
前記broadcast要素は、そのbroadcast要素が含む前記baseURL属性でURLが表されるコンテンツが配信されるマルチキャストのIPアドレス及びポート番号を含むSDP(Session Description Protocol)ファイルを参照するための情報を表すseccionDescription要素を含む
＜１９＞ないし＜２１＞のいずれかに記載の受信装置。
＜２３＞
前記r12:appServiceDescription要素は、そのr12:appServiceDescription要素が配信方法を表すコンテンツの再生制御を行うためのメタデータであるMPEG-DASH（Moving Picture Experts Group-Dynamic Adaptive Streaming over HTTP)のMPD(Media Presentation Description)のURI(Uniform Resource Identifier)を表すmpdURI属性を含む
＜１８＞ないし＜２２＞のいずれかに記載の受信装置。
＜２４＞
属性と属性値とを用いて記述されるメタデータであり、
ビデオが、モザイク画面を構成するのに適したサムネイルビデオであることを表すシグナリング情報と、
サービスが提供するコンテンツを受信するための情報を含むファイルを参照するための情報を表す前記属性と
を含むコンテンツのメタデータを受信する
ステップを含む受信方法。
＜２５＞
属性と属性値とを用いて記述されるメタデータであり、
ビデオが、モザイク画面を構成するのに適したサムネイルビデオであることを表すシグナリング情報と、
USD(User Service Description)を参照するための情報と
を含むコンテンツのメタデータを配信する配信部を備える
送信装置。
＜２６＞
前記メタデータは、
サービスに関するサービス情報と、
前記サービス情報を参照する、サービスにアクセスするためのアクセス情報と
をさらに含む
＜２５＞に記載の送信装置。
＜２７＞
前記サービス情報は、そのサービス情報を識別する前記属性であるサービス識別子を含む
＜２６＞に記載の送信装置。
＜２８＞
前記アクセス情報は、前記USDを参照するための情報を含むとともに、
前記アクセス情報を識別する前記属性であるアクセス情報識別子と、
前記アクセス情報の記述内容のバージョンを表す前記属性であるバージョン情報と、
サービスが、放送型サービス、及び、双方向型サービスのうちのいずれであるかを表す情報と、
サービスが、放送型サービスであることを表す情報と、
セッションディスクリプションを表す情報と、
サービスが、双方向型サービスであることを表す情報と、
サービスのクラスを表す情報と
のうちの１以上を含む
＜２７＞に記載の送信装置。
＜２９＞
前記メタデータは、OMA-ESG(Open Mobile Alliance-Electronic Service Guide)であり、
前記サービス情報であるService要素と、
前記サービス識別子であるService/@globalServiceID属性と、
前記アクセス情報であるAccess要素と、
前記アクセス情報識別子であるAccess/@id属性と、
前記バージョン情報であるAccess/@version属性と、
前記サービスが、放送型サービス、及び、双方向型サービスのうちのいずれであるかを表す情報であるAccess/AccessType要素と、
前記サービスが、放送型サービスであることを表す情報であるAccess/AccessType/BroadcastServiceDelivery要素と、
前記セッションディスクリプションを表す情報であるAccess/AccessType/BroadcastServiceDelivery/SessionDescription要素と、
前記サービスが、双方向型サービスであることを表す情報であるAccess/AccessType/UnicastServiceDelivery要素と、
前記サービスのクラスを表す情報であるAccess/ServiceClass要素と、
前記USDを参照するための情報であるAccess/AccessType/BroadcastServiceDelivery/SessionDescription/USBDRef要素と
を含む
＜２８＞に記載の送信装置。
＜３０＞
前記OMA-ESGは、前記サービスが提供するコンテンツが前記サムネイルビデオであることを表す情報が記述されたService/ServiceType要素を、前記シグナリング情報として含む
＜２９＞に記載の送信装置。
＜３１＞
属性と属性値とを用いて記述されるメタデータであり、
ビデオが、モザイク画面を構成するのに適したサムネイルビデオであることを表すシグナリング情報と、
USD(User Service Description)を参照するための情報と
を含むコンテンツのメタデータを配信する
ステップを含む送信方法。
＜３２＞
属性と属性値とを用いて記述されるメタデータであり、
ビデオが、モザイク画面を構成するのに適したサムネイルビデオであることを表すシグナリング情報と、
USD(User Service Description)を参照するための情報と
を含むコンテンツのメタデータを受信する受信部を備える
受信装置。
＜３３＞
前記メタデータは、
サービスに関するサービス情報と、
前記サービス情報を参照する、サービスにアクセスするためのアクセス情報と
をさらに含む
＜３２＞に記載の受信装置。
＜３４＞
前記サービス情報は、そのサービス情報を識別する前記属性であるサービス識別子を含む
＜３３＞に記載の受信装置。
＜３５＞
前記アクセス情報は、前記USDを参照するための情報を含むとともに、
前記アクセス情報を識別する前記属性であるアクセス情報識別子と、
前記アクセス情報の記述内容のバージョンを表す前記属性であるバージョン情報と、
サービスが、放送型サービス、及び、双方向型サービスのうちのいずれであるかを表す情報と、
サービスが、放送型サービスであることを表す情報と、
セッションディスクリプションを表す情報と、
サービスが、双方向型サービスであることを表す情報と、
サービスのクラスを表す情報と
のうちの１以上を含む
＜３４＞に記載の受信装置。
＜３６＞
前記メタデータは、OMA-ESG(Open Mobile Alliance-Electronic Service Guide)であり、
前記サービス情報であるService要素と、
前記サービス識別子であるService/@globalServiceID属性と、
前記アクセス情報であるAccess要素と、
前記アクセス情報識別子であるAccess/@id属性と、
前記バージョン情報であるAccess/@version属性と、
前記サービスが、放送型サービス、及び、双方向型サービスのうちのいずれであるかを表す情報であるAccess/AccessType要素と、
前記サービスが、放送型サービスであることを表す情報であるAccess/AccessType/BroadcastServiceDelivery要素と、
前記セッションディスクリプションを表す情報であるAccess/AccessType/BroadcastServiceDelivery/SessionDescription要素と、
前記サービスが、双方向型サービスであることを表す情報であるAccess/AccessType/UnicastServiceDelivery要素と、
前記サービスのクラスを表す情報であるAccess/ServiceClass要素と、
前記USDを参照するための情報であるAccess/AccessType/BroadcastServiceDelivery/SessionDescription/USBDRef要素と
を含む
＜３５＞に記載の受信装置。
＜３７＞
前記OMA-ESGは、前記サービスが提供するコンテンツが前記サムネイルビデオであることを表す情報が記述されたService/ServiceType要素を、前記シグナリング情報として含む
＜３６＞に記載の受信装置。
＜３８＞
属性と属性値とを用いて記述されるメタデータであり、
ビデオが、モザイク画面を構成するのに適したサムネイルビデオであることを表すシグナリング情報と、
USD(User Service Description)を参照するための情報と
を含むコンテンツのメタデータを受信する
ステップを含む受信方法。
【符号の説明】
【０４００】
１１  チャンネルサーバ，  １２  集約サーバ，  １３  クライアント，  １４  NTPサーバ，  ２１  コンテンツマネジメントサーバ，  ２２  セグメントストリーマ，  ２３  MPDサーバ，  ３１  ストリームアグリゲータ，  ３２  メタデータジェネレータ，  ３３  FLUTEストリーマ，  ３４  マルチキャストサーバ，  ３５  webサーバ，  ４１０  受信部，  ４１  ミドルウェア，  ４２  DASHクライアント，  ４３  再生部，  ４０１  バス，  ４０２  CPU，  ４０３  ROM，  ４０４  RAM，  ４０５  ハードディスク，  ４０６  出力部，  ４０７  入力部，  ４０８  通信部，  ４０９  ドライブ，  １４０  入出力インタフェース，  ４１１  リムーバブル記録媒体
【図１】
2015064211.tif 000003
【図２】
2015064211.tif 000004
【図３】
2015064211.tif 000005
【図４】
2015064211.tif 000006
【図５】
2015064211.tif 000007
【図６】
2015064211.tif 000008
【図７】
2015064211.tif 000009
【図８】
2015064211.tif 000010
【図９】
2015064211.tif 000011
【図１０】
2015064211.tif 000012
【図１１】
2015064211.tif 000013
【図１２】
2015064211.tif 000014
【図１３】
2015064211.tif 000015
【図１４】
2015064211.tif 000016
【図１５】
2015064211.tif 000017
【図１６】
2015064211.tif 000018
【図１７】
2015064211.tif 000019
【図１８】
2015064211.tif 000020
【図１９】
2015064211.tif 000021
【図２０】
2015064211.tif 000022
【図２１】
2015064211.tif 000023
【図２２】
2015064211.tif 000024
【図２３】
2015064211.tif 000025
【図２４】
2015064211.tif 000026
【図２５】
2015064211.tif 000027
【図２６】
2015064211.tif 000028
【図２７】
2015064211.tif 000029
【図２８】
2015064211.tif 000030
【図２９】
2015064211.tif 000031
【図３０】
2015064211.tif 000032
【図３１】
2015064211.tif 000033
【手続補正書】
【提出日】平成27年2月19日(2015.2.19)
【手続補正１】
【補正対象書類名】特許請求の範囲
【補正対象項目名】全文
【補正方法】変更
【補正の内容】
【特許請求の範囲】
【請求項１】
属性と属性値とを用いて記述されるメタデータであり、
ビデオが、モザイク画面を構成するのに適したサムネイルビデオであることを表すシグナリング情報と、
サービスが提供するコンテンツを受信するための情報を含むファイルを参照するための情報を表す前記属性と
を含むコンテンツのメタデータを配信する配信部を備え、
前記サービスが提供するコンテンツを受信するための情報は、マルチキャストのＩＰアドレス及びポート番号を含む
送信装置。
【請求項２】
（削除）
【請求項３】
前記ファイルは、ＳＤＰ（Ｓｅｓｓｉｏｎ  Ｄｅｓｃｒｉｐｔｉｏｎ  Ｐｒｏｔｏｃｏｌ）ファイルである
請求項１に記載の送信装置。
【請求項４】
前記メタデータは、１以上のサービスの集合の情報、個々のサービスの情報、サービスを識別する前記属性であるサービス識別子、及び、サービスが提供するコンテンツの配信方法の情報のうちの１以上をさらに含む
請求項３に記載の送信装置。
【請求項５】
前記メタデータは、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）のＵＳＤ（Ｕｓｅｒ  Ｓｅｒｖｉｃｅ  Ｄｅｓｃｒｉｐｔｉｏｎ）であり、
前記１以上のサービスの集合の情報であるｂｕｎｄｌｅＤｅｓｃｒｉｐｔｉｏｎ要素と、
前記個々のサービスの情報である
ｂｕｎｄｌｅＤｅｓｃｒｉｐｔｉｏｎ／ＵｓｅｒＳｅｒｖｉｃｅＤｅｓｃｒｉｐｔｉｏｎ要素と、
前記サービス識別子であるｂｕｎｄｌｅＤｅｓｃｒｉｐｔｉｏｎ／ｕｓｅｒＳｅｒｖｉｃｅＤｅｓｃｒｉｐｔｉｏｎ／＠ｓｅｒｖｉｃｅＩｄ属性と、
前記サービスが提供するコンテンツの配信方法の情報である
ｂｕｎｄｌｅＤｅｓｃｒｉｐｔｉｏｎ／ｕｓｅｒＳｅｒｖｉｃｅＤｅｓｃｒｉｐｔｉｏｎ／ＤｅｌｉｖｅｒｙＭｅｔｈｏｄ要素と、
前記サービスが提供するコンテンツを受信するための情報を含むファイルを参照するための情報を表す前記属性である
ｂｕｎｄｌｅＤｅｓｃｒｉｐｔｉｏｎ／ｕｓｅｒＳｅｒｖｉｃｅＤｅｓｃｒｉｐｔｉｏｎ／ＤｅｌｉｖｅｒｙＭｅｔｈｏｄ／＠ｓｅｓｓｉｏｎＤｅｓｃｒｉｐｔｉｏｎＵＲＩ属性と、
前記シグナリング情報である
ｂｕｎｄｌｅＤｅｓｃｒｉｐｔｉｏｎ／ｕｓｅｒＳｅｒｖｉｃｅＤｅｓｃｒｉｐｔｉｏｎ／＠ｒ７：ｓｅｒｖｉｃｅＣｌａｓｓ属性と
を含む
請求項４に記載の送信装置。
【請求項６】
前記ＵＳＤは、前記サービスが提供するコンテンツが、マルチキャスト及びユニキャストのいずれの配信方法で配信されるかを表す
ｒ１２：ａｐｐＳｅｒｖｉｃｅＤｅｓｃｒｉｐｔｉｏｎ要素をさらに含む
請求項５に記載の送信装置。
【請求項７】
前記ｒ１２：ａｐｐＳｅｒｖｉｃｅＤｅｓｃｒｉｐｔｉｏｎ要素は、ｂｒｏａｄｃａｓｔ要素、及び、ｕｎｉｃａｓｔ要素のうちの一方、又は、両方を含み、
前記ｂｒｏａｄｃａｓｔ要素、及び、ｕｎｉｃａｓｔ要素は、前記サービスが提供するコンテンツのＵＲＬ（Ｕｎｉｆｏｒｍ  Ｒｅｓｏｕｒｃｅ  Ｌｏｃａｔｏｒ）を表すｂａｓｅＵＲＬ属性を含み、
前記ｂｒｏａｄｃａｓｔ要素は、そのｂｒｏａｄｃａｓｔ要素が含む前記ｂａｓｅＵＲＬ属性でＵＲＬが表されるコンテンツが、マルチキャストで配信されることを表し、
前記ｕｎｉｃａｓｔ要素は、そのｕｎｉｃａｓｔ要素が含む前記ｂａｓｅＵＲＬ属性でＵＲＬが表されるコンテンツが、ユニキャストで配信されることを表す
請求項６に記載の送信装置。
【請求項８】
前記ｂｒｏａｄｃａｓｔ要素は、そのｂｒｏａｄｃａｓｔ要素が含む前記ｂａｓｅＵＲＬ属性でＵＲＬが表されるコンテンツが、前記サムネイルビデオであるかどうかを表すｔｈｕｍｂｎａｉｌＶｉｄｅｏ属性を、前記シグナリング情報として含む
請求項７に記載の送信装置。
【請求項９】
前記ＵＳＤは、１つのモザイク画面を構成し得る複数のコンテンツそれぞれについての前記ｒ１２：ａｐｐＳｅｒｖｉｃｅＤｅｓｃｒｉｐｔｉｏｎ要素を含む
請求項８に記載の送信装置。
【請求項１０】
前記ｂｒｏａｄｃａｓｔ要素は、そのｂｒｏａｄｃａｓｔ要素が含む前記ｂａｓｅＵＲＬ属性でＵＲＬが表されるコンテンツが配信されるマルチキャストのＩＰアドレス及びポート番号を含むＳＤＰ（Ｓｅｓｓｉｏｎ  Ｄｅｓｃｒｉｐｔｉｏｎ  Ｐｒｏｔｏｃｏｌ）ファイルを参照するための情報を表すｓｅｓｓｉｏｎＤｅｓｃｒｉｐｔｉｏｎ要素を含む
請求項９に記載の送信装置。
【請求項１１】
前記ｒ１２：ａｐｐＳｅｒｖｉｃｅＤｅｓｃｒｉｐｔｉｏｎ要素は、その
ｒ１２：ａｐｐＳｅｒｖｉｃｅＤｅｓｃｒｉｐｔｉｏｎ要素が配信方法を表すコンテンツの再生制御を行うためのメタデータであるＭＰＥＧ−ＤＡＳＨ（Ｍｏｖｉｎｇ  Ｐｉｃｔｕｒｅ  Ｅｘｐｅｒｔｓ  Ｇｒｏｕｐ−Ｄｙｎａｍｉｃ  Ａｄａｐｔｉｖｅ  Ｓｔｒｅａｍｉｎｇ  ｏｖｅｒ  ＨＴＴＰ）の
ＭＰＤ（Ｍｅｄｉａ  Ｐｒｅｓｅｎｔａｔｉｏｎ  Ｄｅｓｃｒｉｐｔｉｏｎ）のＵＲＩ（Ｕｎｉｆｏｒｍ  Ｒｅｓｏｕｒｃｅ  Ｉｄｅｎｔｉｆｉｅｒ）を表すｍｐｄＵＲＩ属性を含む
請求項９に記載の送信装置。
【請求項１２】
属性と属性値とを用いて記述されるメタデータであり、
ビデオが、モザイク画面を構成するのに適したサムネイルビデオであることを表すシグナリング情報と、
サービスが提供するコンテンツを受信するための情報を含むファイルを参照するための情報を表す前記属性と
を含むコンテンツのメタデータを配信する
ステップを含み、
前記サービスが提供するコンテンツを受信するための情報は、マルチキャストのＩＰアドレス及びポート番号を含む
送信方法。
【請求項１３】
属性と属性値とを用いて記述されるメタデータであり、
ビデオが、モザイク画面を構成するのに適したサムネイルビデオであることを表すシグナリング情報と、
サービスが提供するコンテンツを受信するための情報を含むファイルを参照するための情報を表す前記属性と
を含むコンテンツのメタデータを受信する受信部を備え、
前記サービスが提供するコンテンツを受信するための情報は、マルチキャストのＩＰアドレス及びポート番号を含む
受信装置。
【請求項１４】
（削除）
【請求項１５】
前記ファイルは、ＳＤＰ（Ｓｅｓｓｉｏｎ  Ｄｅｓｃｒｉｐｔｉｏｎ  Ｐｒｏｔｏｃｏｌ）ファイルである
請求項１３に記載の受信装置。
【請求項１６】
前記メタデータは、１以上のサービスの集合の情報、個々のサービスの情報、サービスを識別する前記属性であるサービス識別子、及び、サービスが提供するコンテンツの配信方法の情報のうちの１以上をさらに含む
請求項１５に記載の受信装置。
【請求項１７】
前記メタデータは、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）のＵＳＤ（Ｕｓｅｒ  Ｓｅｒｖｉｃｅ  Ｄｅｓｃｒｉｐｔｉｏｎ）であり、
前記１以上のサービスの集合の情報であるｂｕｎｄｌｅＤｅｓｃｒｉｐｔｉｏｎ要素と、
前記個々のサービスの情報である
ｂｕｎｄｌｅＤｅｓｃｒｉｐｔｉｏｎ／ＵｓｅｒＳｅｒｖｉｃｅＤｅｓｃｒｉｐｔｉｏｎ要素と、
前記サービス識別子である
ｂｕｎｄｌｅＤｅｓｃｒｉｐｔｉｏｎ／ｕｓｅｒＳｅｒｖｉｃｅＤｅｓｃｒｉｐｔｉｏｎ／＠ｓｅｒｖｉｃｅＩｄ属性と、
前記サービスが提供するコンテンツの配信方法の情報である
ｂｕｎｄｌｅＤｅｓｃｒｉｐｔｉｏｎ／ｕｓｅｒＳｅｒｖｉｃｅＤｅｓｃｒｉｐｔｉｏｎ／ＤｅｌｉｖｅｒｙＭｅｔｈｏｄ要素と、
前記サービスが提供するコンテンツを受信するための情報を含むファイルを参照するための情報を表す前記属性である
ｂｕｎｄｌｅＤｅｓｃｒｉｐｔｉｏｎ／ｕｓｅｒＳｅｒｖｉｃｅＤｅｓｃｒｉｐｔｉｏｎ／ＤｅｌｉｖｅｒｙＭｅｔｈｏｄ／＠ｓｅｓｓｉｏｎＤｅｓｃｒｉｐｔｉｏｎＵＲＩ属性と、
前記シグナリング情報である
ｂｕｎｄｌｅＤｅｓｃｒｉｐｔｉｏｎ／ｕｓｅｒＳｅｒｖｉｃｅＤｅｓｃｒｉｐｔｉｏｎ／＠ｒ７：ｓｅｒｖｉｃｅＣｌａｓｓ属性と
を含む
請求項１６に記載の受信装置。
【請求項１８】
前記ＵＳＤは、前記サービスが提供するコンテンツが、マルチキャスト及びユニキャストのいずれの配信方法で配信されるかを表す
ｒ１２：ａｐｐＳｅｒｖｉｃｅＤｅｓｃｒｉｐｔｉｏｎ要素をさらに含む
請求項１７に記載の受信装置。
【請求項１９】
前記ｒ１２：ａｐｐＳｅｒｖｉｃｅＤｅｓｃｒｉｐｔｉｏｎ要素は、ｂｒｏａｄｃａｓｔ要素、及び、ｕｎｉｃａｓｔ要素のうちの一方、又は、両方を含み、
前記ｂｒｏａｄｃａｓｔ要素、及び、ｕｎｉｃａｓｔ要素は、前記サービスが提供するコンテンツのＵＲＬ（Ｕｎｉｆｏｒｍ  Ｒｅｓｏｕｒｃｅ  Ｌｏｃａｔｏｒ）を表すｂａｓｅＵＲＬ属性を含み、
前記ｂｒｏａｄｃａｓｔ要素は、そのｂｒｏａｄｃａｓｔ要素が含む前記ｂａｓｅＵＲＬ属性でＵＲＬが表されるコンテンツが、マルチキャストで配信されることを表し、
前記ｕｎｉｃａｓｔ要素は、そのｕｎｉｃａｓｔ要素が含む前記ｂａｓｅＵＲＬ属性でＵＲＬが表されるコンテンツが、ユニキャストで配信されることを表す
請求項１８に記載の受信装置。
【請求項２０】
前記ｂｒｏａｄｃａｓｔ要素は、そのｂｒｏａｄｃａｓｔ要素が含む前記ｂａｓｅＵＲＬ属性でＵＲＬが表されるコンテンツが、前記サムネイルビデオであるかどうかを表すｔｈｕｍｂｎａｉｌＶｉｄｅｏ属性を、前記シグナリング情報として含む
請求項１９に記載の受信装置。
【請求項２１】
前記ＵＳＤは、１つのモザイク画面を構成し得る複数のコンテンツそれぞれについての前記ｒ１２：ａｐｐＳｅｒｖｉｃｅＤｅｓｃｒｉｐｔｉｏｎ要素を含む
請求項２０に記載の受信装置。
【請求項２２】
前記ｂｒｏａｄｃａｓｔ要素は、そのｂｒｏａｄｃａｓｔ要素が含む前記ｂａｓｅＵＲＬ属性でＵＲＬが表されるコンテンツが配信されるマルチキャストのＩＰアドレス及びポート番号を含むＳＤＰ（Ｓｅｓｓｉｏｎ  Ｄｅｓｃｒｉｐｔｉｏｎ  Ｐｒｏｔｏｃｏｌ）ファイルを参照するための情報を表すｓｅｓｓｉｏｎＤｅｓｃｒｉｐｔｉｏｎ要素を含む
請求項２１に記載の受信装置。
【請求項２３】
前記ｒ１２：ａｐｐＳｅｒｖｉｃｅＤｅｓｃｒｉｐｔｉｏｎ要素は、その
ｒ１２：ａｐｐＳｅｒｖｉｃｅＤｅｓｃｒｉｐｔｉｏｎ要素が配信方法を表すコンテンツの再生制御を行うためのメタデータであるＭＰＥＧ−ＤＡＳＨ（Ｍｏｖｉｎｇ  Ｐｉｃｔｕｒｅ  Ｅｘｐｅｒｔｓ  Ｇｒｏｕｐ−Ｄｙｎａｍｉｃ  Ａｄａｐｔｉｖｅ  Ｓｔｒｅａｍｉｎｇ  ｏｖｅｒ  ＨＴＴＰ）の
ＭＰＤ（Ｍｅｄｉａ  Ｐｒｅｓｅｎｔａｔｉｏｎ  Ｄｅｓｃｒｉｐｔｉｏｎ）のＵＲＩ（Ｕｎｉｆｏｒｍ  Ｒｅｓｏｕｒｃｅ  Ｉｄｅｎｔｉｆｉｅｒ）を表すｍｐｄＵＲＩ属性を含む
請求項２１に記載の受信装置。
【請求項２４】
属性と属性値とを用いて記述されるメタデータであり、
ビデオが、モザイク画面を構成するのに適したサムネイルビデオであることを表すシグナリング情報と、
サービスが提供するコンテンツを受信するための情報を含むファイルを参照するための情報を表す前記属性と
を含むコンテンツのメタデータを受信する
ステップを含み、
前記サービスが提供するコンテンツを受信するための情報は、マルチキャストのＩＰアドレス及びポート番号を含む
受信方法。
【請求項２５】
属性と属性値とを用いて記述されるメタデータであり、
ビデオが、モザイク画面を構成するのに適したサムネイルビデオであることを表すシグナリング情報と、
ＵＳＤ（Ｕｓｅｒ  Ｓｅｒｖｉｃｅ  Ｄｅｓｃｒｉｐｔｉｏｎ）を参照するための情報と
を含むコンテンツのメタデータを配信する配信部を備え、
前記メタデータは、サービスに関するサービス情報と前記サービス情報を参照する、サービスにアクセスするためのアクセス情報とを含む
送信装置。
【請求項２６】
（削除）
【請求項２７】
前記サービス情報は、そのサービス情報を識別する前記属性であるサービス識別子を含む
請求項２５に記載の送信装置。
【請求項２８】
前記アクセス情報は、前記ＵＳＤを参照するための情報を含むとともに、
前記アクセス情報を識別する前記属性であるアクセス情報識別子と、
前記アクセス情報の記述内容のバージョンを表す前記属性であるバージョン情報と、
サービスが、放送型サービス、及び、双方向型サービスのうちのいずれであるかを表す情報と、
サービスが、放送型サービスであることを表す情報と、
セッションディスクリプションを表す情報と、
サービスが、双方向型サービスであることを表す情報と、
サービスのクラスを表す情報と
のうちの１以上を含む
請求項２７に記載の送信装置。
【請求項２９】
前記メタデータは、ＯＭＡ−ＥＳＧ（Ｏｐｅｎ  Ｍｏｂｉｌｅ  Ａｌｌｉａｎｃｅ−Ｅｌｅｃｔｒｏｎｉｃ  Ｓｅｒｖｉｃｅ  Ｇｕｉｄｅ）であり、
前記サービス情報であるＳｅｒｖｉｃｅ要素と、
前記サービス識別子であるＳｅｒｖｉｃｅ／＠ｇｌｏｂａｌＳｅｒｖｉｃｅＩＤ属性と、
前記アクセス情報であるＡｃｃｅｓｓ要素と、
前記アクセス情報識別子であるＡｃｃｅｓｓ／＠ｉｄ属性と、
前記バージョン情報であるＡｃｃｅｓｓ／＠ｖｅｒｓｉｏｎ属性と、
前記サービスが、放送型サービス、及び、双方向型サービスのうちのいずれであるかを表す情報であるＡｃｃｅｓｓ／ＡｃｃｅｓｓＴｙｐｅ要素と、前記サービスが、放送型サービスであることを表す情報である
Ａｃｃｅｓｓ／ＡｃｃｅｓｓＴｙｐｅ／ＢｒｏａｄｃａｓｔＳｅｒｖｉｃｅＤｅｌｉｖｅｒｙ要素と、
前記セッションディスクリプションを表す情報である
Ａｃｃｅｓｓ／ＡｃｃｅｓｓＴｙｐｅ／ＢｒｏａｄｃａｓｔＳｅｒｖｉｃｅＤｅｌｉｖｅｒｙ／ＳｅｓｓｉｏｎＤｅｓｃｒｉｐｔｉｏｎ要素と、
前記サービスが、双方向型サービスであることを表す情報である
Ａｃｃｅｓｓ／ＡｃｃｅｓｓＴｙｐｅ／ＵｎｉｃａｓｔＳｅｒｖｉｃｅＤｅｌｉｖｅｒｙ要素と、
前記サービスのクラスを表す情報であるＡｃｃｅｓｓ／ＳｅｒｖｉｃｅＣｌａｓｓ要素と、
前記ＵＳＤを参照するための情報である
Ａｃｃｅｓｓ／ＡｃｃｅｓｓＴｙｐｅ／ＢｒｏａｄｃａｓｔＳｅｒｖｉｃｅＤｅｌｉｖｅｒｙ／ＳｅｓｓｉｏｎＤｅｓｃｒｉｐｔｉｏｎ／ＵＳＢＤＲｅｆ要素と
を含む
請求項２８に記載の送信装置。
【請求項３０】
前記ＯＭＡ−ＥＳＧは、前記サービスが提供するコンテンツが前記サムネイルビデオであることを表す情報が記述された
Ｓｅｒｖｉｃｅ／ＳｅｒｖｉｃｅＴｙｐｅ要素を、前記シグナリング情報として含む
請求項２９に記載の送信装置。
【請求項３１】
属性と属性値とを用いて記述されるメタデータであり、
ビデオが、モザイク画面を構成するのに適したサムネイルビデオであることを表すシグナリング情報と、
ＵＳＤ（Ｕｓｅｒ  Ｓｅｒｖｉｃｅ  Ｄｅｓｃｒｉｐｔｉｏｎ）を参照するための情報と
を含むコンテンツのメタデータを配信する
ステップを含み、
前記メタデータは、サービスに関するサービス情報と、前記サービス情報を参照する、サービスにアクセスするためのアクセス情報とを含む
送信方法。
【請求項３２】
属性と属性値とを用いて記述されるメタデータであり、
ビデオが、モザイク画面を構成するのに適したサムネイルビデオであることを表すシグナリング情報と、
ＵＳＤ（Ｕｓｅｒ  Ｓｅｒｖｉｃｅ  Ｄｅｓｃｒｉｐｔｉｏｎ）を参照するための情報と
を含むコンテンツのメタデータを受信する受信部を備え、
前記メタデータは、サービスに関するサービス情報と、前記サービス情報を参照する、サービスにアクセスするためのアクセス情報とを含む
受信装置。
【請求項３３】
（削除）
【請求項３４】
前記サービス情報は、そのサービス情報を識別する前記属性であるサービス識別子を含む
請求項３２に記載の受信装置。
【請求項３５】
前記アクセス情報は、前記ＵＳＤを参照するための情報を含むとともに、
前記アクセス情報を識別する前記属性であるアクセス情報識別子と、
前記アクセス情報の記述内容のバージョンを表す前記属性であるバージョン情報と、
サービスが、放送型サービス、及び、双方向型サービスのうちのいずれであるかを表す情報と、
サービスが、放送型サービスであることを表す情報と、
セッションディスクリプションを表す情報と、
サービスが、双方向型サービスであることを表す情報と、
サービスのクラスを表す情報と
のうちの１以上を含む
請求項３４に記載の受信装置。
【請求項３６】
前記メタデータは、ＯＭＡ−ＥＳＧ（Ｏｐｅｎ  Ｍｏｂｉｌｅ  Ａｌｌｉａｎｃｅ−Ｅｌｅｃｔｒｏｎｉｃ  Ｓｅｒｖｉｃｅ  Ｇｕｉｄｅ）であり、
前記サービス情報であるＳｅｒｖｉｃｅ要素と、
前記サービス識別子であるＳｅｒｖｉｃｅ／＠ｇｌｏｂａｌＳｅｒｖｉｃｅＩＤ属性と、
前記アクセス情報であるＡｃｃｅｓｓ要素と、
前記アクセス情報識別子であるＡｃｃｅｓｓ／＠ｉｄ属性と、
前記バージョン情報であるＡｃｃｅｓｓ／＠ｖｅｒｓｉｏｎ属性と、
前記サービスが、放送型サービス、及び、双方向型サービスのうちのいずれであるかを表す情報であるＡｃｃｅｓｓ／ＡｃｃｅｓｓＴｙｐｅ要素と、
前記サービスが、放送型サービスであることを表す情報である
Ａｃｃｅｓｓ／ＡｃｃｅｓｓＴｙｐｅ／ＢｒｏａｄｃａｓｔＳｅｒｖｉｃｅＤｅｌｉｖｅｒｙ要素と、
前記セッションディスクリプションを表す情報である
Ａｃｃｅｓｓ／ＡｃｃｅｓｓＴｙｐｅ／ＢｒｏａｄｃａｓｔＳｅｒｖｉｃｅＤｅｌｉｖｅｒｙ／ＳｅｓｓｉｏｎＤｅｓｃｒｉｐｔｉｏｎ要素と、
前記サービスが、双方向型サービスであることを表す情報である
Ａｃｃｅｓｓ／ＡｃｃｅｓｓＴｙｐｅ／ＵｎｉｃａｓｔＳｅｒｖｉｃｅＤｅｌｉｖｅｒｙ要素と、
前記サービスのクラスを表す情報であるＡｃｃｅｓｓ／ＳｅｒｖｉｃｅＣｌａｓｓ要素と、
前記ＵＳＤを参照するための情報である
Ａｃｃｅｓｓ／ＡｃｃｅｓｓＴｙｐｅ／ＢｒｏａｄｃａｓｔＳｅｒｖｉｃｅＤｅｌｉｖｅｒｙ／ＳｅｓｓｉｏｎＤｅｓｃｒｉｐｔｉｏｎ／ＵＳＢＤＲｅｆ要素と
を含む
請求項３５に記載の受信装置。
【請求項３７】
前記ＯＭＡ−ＥＳＧは、前記サービスが提供するコンテンツが前記サムネイルビデオであることを表す情報が記述された
Ｓｅｒｖｉｃｅ／ＳｅｒｖｉｃｅＴｙｐｅ要素を、前記シグナリング情報として含む
請求項３６に記載の受信装置。
【請求項３８】
属性と属性値とを用いて記述されるメタデータであり、
ビデオが、モザイク画面を構成するのに適したサムネイルビデオであることを表すシグナリング情報と、
ＵＳＤ（Ｕｓｅｒ  Ｓｅｒｖｉｃｅ  Ｄｅｓｃｒｉｐｔｉｏｎ）を参照するための情報と
を含むコンテンツのメタデータを受信する
ステップを含み、
前記メタデータは、サービスに関するサービス情報と、前記サービス情報を参照する、サービスにアクセスするためのアクセス情報とを含む
受信方法。
【国際調査報告】
2015064211.tif 000034
2015064211.tif 000035
2015064211.tif 000036
2015064211.tif 000037